(57)【要約】      （修正有）【課題】通信機器が、第２の通信方式に従った無線通信を実行した後に、第１の通信方式に従った無線ネットワークを形成するための新規な技術を提供すること。【解決手段】プリンタＰＲは、Ｂｌｕｅｔｏｏｔｈ（登録商標）方式に従った無線通信を実行して、Ａｄｖｅｒｔｉｓｅ信号をブロードキャスト送信することを繰り返す（Ｔ１００）。Ａｄｖｅｒｔｉｓｅ信号は、Ｗｉ−Ｆｉ接続要求信号をプリンタＰＲに送信するためのトリガとして、携帯端末ＰＴ１によって利用されるべき信号である。プリンタＰＲは、Ｗｉ−Ｆｉ方式に従った無線通信を実行して、携帯端末ＰＴ１からＷｉ−Ｆｉ接続要求信号を受信する（Ｔ１２０）。プリンタＰＲは、Ｗｉ−Ｆｉ接続要求信号を受信することに応じて、Ｗｉ−Ｆｉ接続を携帯端末ＰＴ１と確立して、Ｗｉ−Ｆｉネットワークを形成する（Ｔ１２２）。【選択図】図６
2019024221.tif 000002
【特許請求の範囲】
【請求項１】
第１の通信機器であって、
第１の通信方式に従った無線通信を実行するための第１のインターフェースと、
前記第１の通信方式とは異なる第２の通信方式に従った無線通信を実行するための第２のインターフェースと、
前記第２のインターフェースを介して、トリガ信号をブロードキャスト送信することを繰り返すトリガ信号送信部であって、前記トリガ信号は、前記第１の通信機器と第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号送信部と、
前記トリガ信号を受信した前記第２の通信機器から、前記第１のインターフェースを介して、前記無線接続要求を受信する接続要求受信部と、
前記第２の通信機器から前記無線接続要求を受信することに応じて、前記第１のインターフェースを介した第１の無線接続を前記第２の通信機器と確立して、前記第１の通信機器と前記第２の通信機器との双方が所属する前記第１の無線ネットワークを形成する第１の確立部と、
を備える、第１の通信機器。
【請求項２】
前記トリガ信号送信部は、前記第２のインターフェースを介して、前記第１の通信機器のメモリに格納されている第１の機器識別情報であって、前記第１の通信機器を識別するための前記第１の機器識別情報を含む前記トリガ信号をブロードキャスト送信することを繰り返し、
前記接続要求受信部は、
前記トリガ信号に含まれる前記第１の機器識別情報が前記第２の通信機器に格納されている場合に、前記第２の通信機器から前記無線接続要求を受信し、
前記トリガ信号に含まれる前記第１の機器識別情報が前記第２の通信機器に格納されていない場合に、前記第２の通信機器から前記無線接続要求を受信しない、請求項１に記載の第１の通信機器。
【請求項３】
前記第１の通信機器は、さらに、
前記第１のインターフェースを介した前記第１の無線接続を前記第２の通信機器と確立する前に、前記第１のインターフェースを介した第２の無線接続を第３の通信機器と確立して、前記第１の通信機器と前記第３の通信機器との双方が所属する第２の無線ネットワークを形成する第２の確立部と、
前記第２の無線ネットワークを利用して、前記第１のインターフェースを介して、前記メモリ内の前記第１の機器識別情報を前記第３の通信機器に送信する機器識別情報送信部と、を備え、
前記接続要求受信部は、前記第２の通信機器と前記第３の通信機器とが一致することに起因して、前記トリガ信号に含まれる前記第１の機器識別情報が前記第２の通信機器に格納されている場合に、前記第２の通信機器から前記無線接続要求を受信する、請求項２に記載の第１の通信機器。
【請求項４】
前記第１の通信機器は、さらに、
前記第１の機器識別情報が前記第３の通信機器に送信された後に、前記第２のインターフェースの状態を、第１の状態から、前記第１の状態よりも消費電力が高い第２の状態に変更する変更部を備える、請求項３に記載の第１の通信機器。
【請求項５】
前記トリガ信号は、前記第１の無線ネットワークに関係するネットワーク関係情報を含み、
前記第１の確立部は、前記ネットワーク関係情報を利用して、前記第１のインターフェースを介した前記第１の無線接続を前記第２の通信機器と確立する、請求項１から請求項４のいずれか一項に記載の第１の通信機器。
【請求項６】
前記第１の通信機器は、さらに、
前記トリガ信号を受信した前記第２の通信機器から、前記第２のインターフェースを介して、所定の要求信号を受信する要求信号受信部と、
前記第２の通信機器から前記所定の要求信号を受信することに応じて、前記第２のインターフェースを介して、前記所定の要求信号に対する応答信号を前記第２の通信機器に送信する応答信号送信部であって、前記応答信号は、前記第１の無線ネットワークに関係するネットワーク関係情報を含む、前記応答信号送信部を備え、
前記接続要求受信部は、前記応答信号を受信した前記第２の通信機器から、前記第１のインターフェースを介して、前記無線接続要求を受信し、
前記第１の確立部は、前記ネットワーク関係情報を利用して、前記第１のインターフェースを介した前記第１の無線接続を前記第２の通信機器と確立する、請求項１から請求項４のいずれか一項に記載の第１の通信機器。
【請求項７】
前記第１の通信機器は、さらに、
前記トリガ信号を受信した前記第２の通信機器から、前記第２のインターフェースを介して、前記第２の通信機器を識別するための第２の機器識別情報を含む所定の要求信号を受信する要求信号受信部と、
前記所定の要求信号に含まれる前記第２の機器識別情報が前記第１の通信機器のメモリに格納されているのか否かを判断する判断部と、
前記第２の機器識別情報が前記メモリに格納されていると判断される場合に、前記第２のインターフェースを介して、前記所定の要求信号に対する応答信号を前記第２の通信機器に送信し、前記第２の機器識別情報が前記メモリに格納されていないと判断される場合に、前記応答信号を前記第２の通信機器に送信しない応答信号送信部であって、前記応答信号は、前記第１の無線ネットワークに関係するネットワーク関係情報を含む、前記応答信号送信部と、を備え、
前記接続要求受信部は、前記応答信号を受信した前記第２の通信機器から、前記第１のインターフェースを介して、前記無線接続要求を受信し、
前記第１の確立部は、前記ネットワーク関係情報を利用して、前記第１のインターフェースを介した前記第１の無線接続を前記第２の通信機器と確立する、請求項１に記載の第１の通信機器。
【請求項８】
前記第１の通信機器は、さらに、
前記第１のインターフェースを介した前記第１の無線接続を前記第２の通信機器と確立する前に、前記第１のインターフェースを介した第２の無線接続を第３の通信機器と確立して、前記第１の通信機器と前記第３の通信機器との双方が所属する第２の無線ネットワークを形成する第２の確立部と、
前記第２の無線ネットワークを利用して、前記第３の通信機器から、前記第１のインターフェースを介して、前記第３の通信機器を識別するための第３の機器識別情報を受信する機器識別情報受信部と、
前記第３の通信機器から前記第３の機器識別情報を受信することに応じて、前記第３の機器識別情報を前記メモリに格納させる格納制御部と、を備え、
前記判断部は、
前記第２の通信機器と前記第３の通信機器とが一致する場合に、前記第３の機器識別情報に一致する前記第２の機器識別情報が前記メモリに格納されていると判断し、
前記第２の通信機器と前記第３の通信機器とが一致しない場合に、前記第２の機器識別情報が前記メモリに格納されていないと判断する、請求項７に記載の第１の通信機器。
【請求項９】
前記第１の通信機器は、さらに、
前記第３の機器識別情報が前記メモリに格納された後に、前記第２のインターフェースの状態を、第１の状態から、前記第１の状態よりも消費電力が高い第２の状態に変更する変更部を備える、請求項８に記載の第１の通信機器。
【請求項１０】
前記トリガ信号送信部は、前記第２の通信方式の論理リンクを確立するための最上位層の通信を実行せずに、前記最上位層よりも下位である下位層の通信を実行して、前記第２のインターフェースを介して、前記トリガ信号をブロードキャスト送信することを繰り返す、請求項１から請求項９のいずれか一項に記載の第１の通信機器。
【請求項１１】
第２の通信機器のためのコンピュータプログラムであって、
前記第２の通信機器は、
第１の通信方式に従った無線通信を実行するための第１のインターフェースと、
前記第１の通信方式とは異なる第２の通信方式に従った無線通信を実行するための第２のインターフェースと、
プロセッサと、を備え、
前記コンピュータプログラムは、前記プロセッサに、以下の各処理、即ち、
トリガ信号が第１の通信機器から繰り返しブロードキャスト送信される場合に、前記第１の通信機器から、前記第２のインターフェースを介して、前記トリガ信号を受信するトリガ信号受信処理であって、前記トリガ信号は、前記第１の通信機器と前記第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号受信処理と、
前記第１の通信機器から前記トリガ信号を受信することに応じて、前記第１のインターフェースを介して、前記無線接続要求を前記第１の通信機器に送信する接続要求送信処理と、
前記無線接続要求を前記第１の通信機器に送信することに応じて、前記第１のインターフェースを介した第１の無線接続を前記第１の通信機器と確立して、前記第１の通信機器と前記第２の通信機器との双方が所属する前記第１の無線ネットワークを形成する第１の確立処理と、
を実行させる、コンピュータプログラム。
【請求項１２】
前記トリガ信号は、前記第１の通信機器を識別するための第１の機器識別情報を含み、
前記コンピュータプログラムは、前記プロセッサに、さらに、以下の各処理、即ち、
前記トリガ信号に含まれる前記第１の機器識別情報が前記第２の通信機器のメモリに格納されているのか否かを判断する判断処理を実行させ、
前記接続要求送信処理では、
前記第１の機器識別情報が前記メモリに格納されていると判断される場合に、前記第１のインターフェースを介して、前記無線接続要求を前記第１の通信機器に送信し、
前記第１の機器識別情報が前記メモリに格納されていないと判断される場合に、前記第１のインターフェースを介して、前記無線接続要求を前記第１の通信機器に送信しない、請求項１１に記載のコンピュータプログラム。
【請求項１３】
前記コンピュータプログラムは、前記プロセッサに、さらに、以下の各処理、即ち、
前記第１の機器識別情報が前記メモリに格納されていると判断される場合に、前記第２のインターフェースを介して、所定の要求信号を前記第１の通信機器に送信し、前記第１の機器識別情報が前記メモリに格納されていないと判断される場合に、前記所定の要求信号を前記第１の通信機器に送信しない要求信号送信処理と、
前記第１の通信機器から、前記第２のインターフェースを介して、前記所定の要求信号に対する応答信号を受信する応答信号受信処理であって、前記応答信号は、前記第１の無線ネットワークに関係するネットワーク関係情報を含む、前記応答信号受信処理と、を実行させ、
前記接続要求送信処理では、前記第１の機器識別情報が前記メモリに格納されていると判断される場合に、前記所定の要求信号を前記第１の通信機器に送信して前記第１の通信機器から前記応答信号が受信することに応じて、前記第１のインターフェースを介して、前記無線接続要求を前記第１の通信機器に送信し、
前記第１の確立処理では、前記ネットワーク関係情報を利用して、前記第１のインターフェースを介した前記第１の無線接続を前記第１の通信機器と確立する、請求項１２に記載のコンピュータプログラム。
【請求項１４】
前記コンピュータプログラムは、前記プロセッサに、さらに、以下の各処理、即ち、
前記第１のインターフェースを介した前記第１の無線接続を前記第１の通信機器と確立する前に、前記第１のインターフェースを介した第２の無線接続を第３の通信機器と確立して、前記第２の通信機器と前記第３の通信機器との双方が所属する第２の無線ネットワークを形成する第２の確立処理と、
前記第２の無線ネットワークを利用して、前記第３の通信機器から、前記第１のインターフェースを介して、前記第３の通信機器を識別するための第３の機器識別情報を受信する機器識別情報受信処理と、を実行させ、
前記判断処理では、
前記第１の通信機器と前記第３の通信機器とが一致する場合に、前記第３の機器識別情報に一致する前記第１の機器識別情報が前記メモリに格納されていると判断し、
前記第１の通信機器と前記第３の通信機器とが一致しない場合に、前記第１の機器識別情報が前記メモリに格納されていないと判断する、請求項１２又は請求項１３に記載のコンピュータプログラム。
【請求項１５】
前記トリガ信号は、前記第１の無線ネットワークに関係するネットワーク関係情報を含み、
前記第１の確立処理では、前記ネットワーク関係情報を利用して、前記第１のインターフェースを介した前記第１の無線接続を前記第１の通信機器と確立する、請求項１１又は請求項１２に記載のコンピュータプログラム。
【請求項１６】
前記コンピュータプログラムは、前記プロセッサに、さらに、以下の各処理、即ち、
前記トリガ信号を受信することに応じて、前記第２のインターフェースを介して、所定の要求信号を前記第１の通信機器に送信する要求信号送信処理と、
前記第１の通信機器から、前記第２のインターフェースを介して、前記所定の要求信号に対する応答信号を受信する応答信号受信処理であって、前記応答信号は、前記第１の無線ネットワークに関係するネットワーク関係情報を含む、前記応答信号受信処理と、を実行させ、
前記接続要求送信処理では、前記応答信号を受信することに応じて、前記第１のインターフェースを介して、前記無線接続要求を前記第１の通信機器に送信し、
前記第１の確立処理では、前記ネットワーク関係情報を利用して、前記第１のインターフェースを介した前記第１の無線接続を前記第１の通信機器と確立する、請求項１１又は請求項１２に記載のコンピュータプログラム。
【請求項１７】
第２の通信機器であって、
第１の通信方式に従った無線通信を実行するための第１のインターフェースと、
前記第１の通信方式とは異なる第２の通信方式に従った無線通信を実行するための第２のインターフェースと、
トリガ信号が第１の通信機器から繰り返しブロードキャスト送信される場合に、前記第１の通信機器から、前記第２のインターフェースを介して、前記トリガ信号を受信するトリガ信号受信部であって、前記トリガ信号は、前記第１の通信機器と前記第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号受信部と、
前記第１の通信機器から前記トリガ信号を受信することに応じて、前記第１のインターフェースを介して、前記無線接続要求を前記第１の通信機器に送信する接続要求送信部と、
前記無線接続要求を前記第１の通信機器に送信することに応じて、前記第１のインターフェースを介した第１の無線接続を前記第１の通信機器と確立して、前記第１の通信機器と前記第２の通信機器との双方が所属する前記第１の無線ネットワークを形成する第１の確立部と、
を備える第２の通信機器。
【発明の詳細な説明】
【技術分野】
【０００１】
本明細書では、複数の通信方式に従った無線通信を実行可能な通信機器を開示する。
【背景技術】
【０００２】
特許文献１には、第１端末と外部機器とがＷｉ−Ｆｉに従った無線通信を実行するための技術が開示されている。第１端末は、第１端末自身が接続されているＡＰ（Access Pointの略）に関する情報（即ち、ＭＡＣアドレス、ＳＳＩＤ、チャネル番号、保安キー等）を、ＢＬＥ（Bluetooth（登録商標） Low Energyの略）を介して、外部機器に送信する。この場合、外部機器は、Ｗｉ−Ｆｉモジュールを活性化し、当該情報を利用してＡＰに接続する。これにより、第１端末と外部機器とがＷｉ−Ｆｉに従った無線通信を実行することができる。
【先行技術文献】
【特許文献】
【０００３】
【特許文献１】特開２０１４−５３００７号公報
【発明の概要】
【発明が解決しようとする課題】
【０００４】
上述したように、特許文献１には、第１端末が、ＢＬＥを介した無線通信を外部機器と実行した後に、Ｗｉ−Ｆｉに従った無線通信を外部機器と実行するための技術が開示されている。本明細書では、通信機器が、第２の通信方式に従った無線通信を実行した後に、第１の通信方式に従った無線ネットワークを形成するための新規な技術を開示する。
【課題を解決するための手段】
【０００５】
本明細書によって開示される第１の通信機器は、第１の通信方式に従った無線通信を実行するための第１のインターフェースと、前記第１の通信方式とは異なる第２の通信方式に従った無線通信を実行するための第２のインターフェースと、前記第２のインターフェースを介して、トリガ信号をブロードキャスト送信することを繰り返すトリガ信号送信部であって、前記トリガ信号は、前記第１の通信機器と第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号送信部と、前記トリガ信号を受信した前記第２の通信機器から、前記第１のインターフェースを介して、前記無線接続要求を受信する接続要求受信部と、前記第２の通信機器から前記無線接続要求を受信することに応じて、前記第１のインターフェースを介した第１の無線接続を前記第２の通信機器と確立して、前記第１の通信機器と前記第２の通信機器との双方が所属する前記第１の無線ネットワークを形成する第１の確立部と、を備える。
【０００６】
上記の構成によると、第１の通信機器は、第２の通信方式に従った無線通信を実行して、トリガ信号をブロードキャスト送信することを繰り返す。その後、第１の通信機器は、トリガ信号を受信した第２の通信機器から無線接続要求を受信し、次いで、第１の無線接続を第２の通信機器と確立して、第１の無線ネットワークを形成する。このように、第１の通信機器は、第２の通信方式に従った無線通信を実行した後に、第１の通信方式に従った第１の無線ネットワークを適切に形成することができる。
【０００７】
上記の第１の通信機器を実現するための制御方法、コンピュータプログラム、及び、当該コンピュータプログラムを格納するコンピュータ読取可能記録媒体も、新規で有用である。
【０００８】
本明細書では、第２の通信機器のためのコンピュータプログラムも開示する。前記第２の通信機器は、第１の通信方式に従った無線通信を実行するための第１のインターフェースと、前記第１の通信方式とは異なる第２の通信方式に従った無線通信を実行するための第２のインターフェースと、プロセッサと、を備える。前記コンピュータプログラムは、前記プロセッサに、以下の各処理、即ち、トリガ信号が第１の通信機器から繰り返しブロードキャスト送信される場合に、前記第１の通信機器から、前記第２のインターフェースを介して、前記トリガ信号を受信するトリガ信号受信処理であって、前記トリガ信号は、前記第１の通信機器と前記第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号受信処理と、前記第１の通信機器から前記トリガ信号を受信することに応じて、前記第１のインターフェースを介して、前記無線接続要求を前記第１の通信機器に送信する接続要求送信処理と、前記無線接続要求を前記第１の通信機器に送信することに応じて、前記第１のインターフェースを介した第１の無線接続を前記第１の通信機器と確立して、前記第１の通信機器と前記第２の通信機器との双方が所属する前記第１の無線ネットワークを形成する第１の確立処理と、を実行させる。
【０００９】
上記のコンピュータプログラムは、以下の第２の通信機器を実現することができる。即ち、第２の通信機器は、トリガ信号が第１の通信機器から繰り返しブロードキャスト送信される場合に、第２の通信方式に従った無線通信を実行して、第１の通信機器からトリガ信号を受信する。その後、第２の通信機器は、無線接続要求を第１の通信機器に送信し、次いで、第１のインターフェースを介した第１の無線接続を第１の通信機器と確立して、第１の無線ネットワークを形成する。このように、第２の通信機器は、第２の通信方式に従った無線通信を実行した後に、第１の通信方式に従った第１の無線ネットワークを適切に形成することができる。
【００１０】
上記のコンピュータプログラムを格納するコンピュータ読取可能記録媒体も、新規で有用である。また、上記の第２の通信機器そのものも新規で有用である。また、上記の第２の通信機器を実現するための制御方法も新規で有用である。また、上記の第１の通信機器と第２の通信機器とを備える通信システムも、新規で有用である。
【図面の簡単な説明】
【００１１】
【図１】通信システムの構成を示す。
【図２】プリンタのＷｉ−ＦｉＩ／Ｆ関連処理のフローチャートを示す。
【図３】プリンタのＢＴＩ／Ｆ関連処理のフローチャートを示す。
【図４】携帯端末の処理のフローチャートを示す。
【図５】第１実施例のケースＡのシーケンス図を示す。
【図６】第１実施例のケースＢ１及びＢ２のシーケンス図を示す。
【図７】第２実施例及び第３実施例のプリンタのＷｉ−ＦｉＩ／Ｆ関連処理のフローチャートを示す。
【図８】第２実施例のケースＣのシーケンス図を示す。
【図９】第２実施例のケースＤ１及びＤ２のシーケンス図を示す。
【図１０】第３実施例のケースＥのシーケンス図を示す。
【図１１】第３実施例のケースＦ１及びＦ２のシーケンス図を示す。
【発明を実施するための形態】
【００１２】
（第１実施例）
（通信システム２の構成）
図１に示されるように、通信システム２は、プリンタＰＲと、複数個の携帯端末ＰＴ１，ＰＴ２と、を備える。プリンタＰＲと各携帯端末ＰＴ１，ＰＴ２とは、無線通信を相互に実行可能である。
【００１３】
（プリンタＰＲの構成）
プリンタＰＲは、印刷機能を実行可能な周辺機器、即ち、携帯端末ＰＴ１等の周辺機器である。プリンタＰＲは、操作部１２と、表示部１４と、印刷実行部１６と、Ｗｉ−Ｆｉインターフェース２０と、ＢＴ（Bluetooth（登録商標）の略）インターフェース２２と、制御部３０と、を備える。各部１２〜３０は、バス線（符号省略）に接続されている。以下では、インターフェースのことを「Ｉ／Ｆ」と呼ぶ。
【００１４】
操作部１２は、複数のキーを備える。ユーザは、操作部１２を操作することによって、様々な指示をプリンタＰＲに入力することができる。表示部１４は、様々な情報を表示するためのディスプレイである。表示部１４は、いわゆるタッチパネルとしても機能する。即ち、表示部１４は、ユーザによって操作される操作部としても機能する。印刷実行部１６は、インクジェット方式、レーザ方式等の印刷機構である。
【００１５】
Ｗｉ−ＦｉＩ／Ｆ２０は、Ｗｉ−Ｆｉ方式に従った無線通信（以下では「Ｗｉ−Ｆｉ通信」と呼ぶ）を実行するためのＩ／Ｆである。Ｗｉ−Ｆｉ方式は、例えば、ＩＥＥＥ（The Institute of Electrical and Electronics Engineers, Inc.の略）の８０２．１１の規格、及び、それに準ずる規格（例えば、８０２．１１ａ，１１ｂ，１１ｇ，１１ｎ等）に基づく無線通信方式である。より具体的に言うと、Ｗｉ−ＦｉＩ／Ｆ２０は、Ｗｉ−Ｆｉ  Ａｌｌｉａｎｃｅによって策定されたＷＦＤ（Wi-Fi Direct（登録商標）の略）方式をサポートしている。ＷＦＤ方式は、Ｗｉ−Ｆｉ  Ａｌｌｉａｎｃｅによって作成された規格書「Wi-Fi Peer-to-Peer (P2P) Technical Specification Version1.1」に記述されている無線通信方式である。
【００１６】
ＢＴＩ／Ｆ２２は、Ｂｌｕｅｔｏｏｔｈ方式に従った無線通信（以下では「ＢＴ通信」と呼ぶ）を実行するためのＩ／Ｆである。Ｂｌｕｅｔｏｏｔｈ方式は、例えば、ＩＥＥＥ８０２．１５．１の規格、及び、それに準ずる規格に基づく無線通信方式である。より具体的に言うと、ＢＴＩ／Ｆ２２は、ＢＬＥ（Bluetooth Low Energyの略）をサポートしている。ＢＬＥは、Ｂｌｕｅｔｏｏｔｈ方式のバージョン４．０以降のバージョンで実現されている規格である。なお、以下では、Ｂｌｕｅｔｏｏｔｈ方式のバージョン４．０未満のことを「クラシックＢＴ」と呼ぶ。一対のＢＴＩ／Ｆの間でＢＬＥに従ったＢＴ通信を実行するために、一方のＢＴＩ／Ｆが、ＢＴ方式で定められている「Bluetooth Smart Ready」に対応し、かつ、他方のＢＴＩ／Ｆが、「Bluetooth Smart Ready」、又は、ＢＴ方式で定められている「Bluetooth Smart」に対応していてもよい。「Bluetooth Smart Ready」に対応するＢＴＩ／Ｆは、ＢＬＥに従った動作とクラシックＢＴに従った動作との双方を実行可能なＩ／Ｆ（即ちいわゆるデュアルモードのＩ／Ｆ）である。「Bluetooth Smart」に対応するＢＴＩ／Ｆは、ＢＬＥに従った動作を実行可能であるが、クラシックＢＴに従った動作を実行不可能なＩ／Ｆである。本実施例では、プリンタＰＲと携帯端末ＰＴ１，ＰＴ２との間でＢＬＥに従ったＢＴ通信が実行される。そして、携帯端末ＰＴ１，ＰＴ２の後述のＢＴＩ／Ｆ（例えば符号６２）が「Bluetooth Smart Ready」に対応しているので、プリンタＰＲのＢＴＩ／Ｆ２２は、「Bluetooth Smart Ready」及び「Bluetooth Smart」のどちらに対応していてもよい。ただし、変形例では、プリンタＰＲのＢＴＩ／Ｆ２２が「Bluetooth Smart Ready」に対応している場合に、携帯端末ＰＴ１，ＰＴ２のＢＴＩ／Ｆが「Bluetooth Smart」に対応していてもよい。
【００１７】
クラシックＢＴとＢＬＥとの相違点を記述しておく。ＢＬＥのチャネル数（即ち４０）は、クラシックＢＴのチャネル数（即ち７９）よりも少ない。ＢＬＥのデータ通信時の消費電流（例えば１５ｍＡ）は、クラシックＢＴのデータ通信時の消費電流（例えば３５ｍＡ）よりも小さい。従って、ＢＬＥの消費電力は、クラシックＢＴの消費電力よりも低い。また、ＢＬＥでは、Ａｄｖｅｒｔｉｓｅ信号が利用されるが、クラシックＢＴでは、Ａｄｖｅｒｔｉｓｅ信号が利用されない。
【００１８】
Ｗｉ−Ｆｉ方式とＢＴ方式との相違点を記述しておく。Ｗｉ−Ｆｉ通信の通信速度（例えば最大の通信速度が６００Ｍｂｐｓ）は、ＢＴ通信の通信速度（例えば最大の通信速度が２４Ｍｂｐｓ）よりも速い。Ｗｉ−Ｆｉ通信における搬送波の周波数は、２．４ＧＨｚ帯又は５．０ＧＨｚ帯である。ＢＴ通信における搬送波の周波数は、２．４ＧＨｚ帯である。即ち、Ｗｉ−Ｆｉ通信における搬送波の周波数として５．０ＧＨｚ帯が採用される場合には、Ｗｉ−Ｆｉ通信における搬送波の周波数とＢＴ通信における搬送波の周波数とは異なる。また、Ｗｉ−Ｆｉ通信を実行可能な最大の距離（例えば約１００ｍ）は、ＢＴ通信を実行可能な最大の距離（例えば約数十ｍ）よりも大きい。
【００１９】
制御部３０は、ＣＰＵ３２と、メモリ３４と、を備える。ＣＰＵ３２は、メモリ３４に格納されているプログラム３６に従って、様々な処理を実行する。メモリ３４は、揮発性メモリ、不揮発性メモリ等によって構成される。メモリ３４は、プリンタＰＲのＢＴデバイス名「ＮＰ」と、送信フラグ３８と、を格納する。ＢＴデバイス名「ＮＰ」は、ＢＴＩ／Ｆ２２に割り当てられているユニークな名称であり、換言すると、プリンタＰＲがＢＴ通信を実行するために、プリンタＰＲを識別するための情報として利用される名称である。送信フラグ３８は、ＢＴデバイス名「ＮＰ」を外部に送信済みである場合に「ＯＮ」を示し、ＢＴデバイス名「ＮＰ」を外部に送信済みでない場合に「ＯＦＦ」を示す。なお、図１では、メモリ３４が領域４０を備えるように示されているが、当該領域４０は、後述の第３実施例で利用される。
【００２０】
（携帯端末ＰＴ１，ＰＴ２の構成）
各携帯端末ＰＴ１，ＰＴ２は、例えば、携帯電話（例えばスマートフォン）、ＰＤＡ、ノートＰＣ、タブレットＰＣ、携帯型音楽再生装置、携帯型動画再生装置等の可搬型の端末装置である。以下では、携帯端末ＰＴ１の構成を説明するが、携帯端末ＰＴ２も携帯端末ＰＴ１と同様の構成を備える。
【００２１】
携帯端末ＰＴ１は、操作部５２と、表示部５４と、Ｗｉ−ＦｉＩ／Ｆ６０と、ＢＴＩ／Ｆ６２と、制御部７０と、を備える。各部５２〜７０は、バス線（符号省略）に接続されている。
【００２２】
操作部５２は、複数のキーを備える。ユーザは、操作部５２を操作することによって、様々な指示を携帯端末ＰＴ１に入力することができる。表示部５４は、様々な情報を表示するためのディスプレイである。表示部５４は、いわゆるタッチパネルとしても機能する（即ち操作部としても機能する）。Ｗｉ−ＦｉＩ／Ｆ６０は、Ｗｉ−Ｆｉ通信を実行するためのＩ／Ｆである。Ｗｉ−ＦｉＩ／Ｆ６０は、ＷＦＤをサポートしていてもよいし、ＷＦＤをサポートしていなくてもよい。ＢＴＩ／Ｆ６２は、ＢＴ通信を実行するためのＩ／Ｆであり、ＢＬＥをサポートしている。各Ｉ／Ｆ６０，６２の相違は、プリンタＰＲの各Ｉ／Ｆ２０，２２の相違と同様である。
【００２３】
制御部７０は、ＣＰＵ７２とメモリ７４とを備える。ＣＰＵ７２は、メモリ７４に格納されているＯＳプログラム７６に従って、様々な処理を実行する。メモリ７４は、揮発性メモリ、不揮発性メモリ等によって構成される。メモリ７４は、ＯＳプログラム７６のみならず、プリンタアプリケーション７８を格納する。プリンタアプリケーション７８は、プリンタＰＲに印刷機能を実行させるためのアプリケーションである。ユーザがプリンタＰＲに印刷機能を実行させることを望む際に、プリンタアプリケーション７８がユーザによって起動される。プリンタアプリケーション７８は、例えば、プリンタＰＲのベンダによって提供されるインターネット上のサーバから携帯端末ＰＴ１にインストールされてもよいし、プリンタＰＲと共に出荷されるメディアから携帯端末ＰＴ１にインストールされてもよい。
【００２４】
メモリ７４は、さらに、携帯端末ＰＴ１のＢＴデバイス名「Ｎ１」を格納する。ＢＴデバイス名「Ｎ１」は、ＢＴＩ／Ｆ６２に割り当てられているユニークな名称であり、換言すると、携帯端末ＰＴ１がＢＴ通信を実行するために、携帯端末ＰＴ１を識別するための情報として利用される名称である。なお、携帯端末ＰＴ２は、ＢＴデバイス名「Ｎ１」とは異なるＢＴデバイス名「Ｎ２」を有する。メモリ７４は、ＢＴデバイス名格納領域８０を備える。ＢＴデバイス名格納領域８０は、Ｗｉ−ＦｉＩ／Ｆ６０を介した無線接続、即ち、Ｗｉ−Ｆｉ方式に従った無線接続が確立されたプリンタのＢＴデバイス名を格納するための領域である。
【００２５】
（プリンタＰＲのＷｉ−ＦｉＩ／Ｆ関連処理；図２）
続いて、図２を参照して、プリンタＰＲのＣＰＵ３２が実行するＷｉ−ＦｉＩ／Ｆ関連処理について説明する。Ｗｉ−ＦｉＩ／Ｆ関連処理は、主に、Ｗｉ−ＦｉＩ／Ｆ２０に関連する処理である。ＣＰＵ３２は、プリンタＰＲの電源がＯＮされると、図２の処理を開始する。
【００２６】
Ｓ２では、ＣＰＵ３２は、ランダムに文字列を生成することによって、ＳＳＩＤ（Service Set Identifierの略）を生成する。そして、ＣＰＵ３２は、ＳＳＩＤをメモリ３４に格納させる。ＳＳＩＤは、Ｗｉ−Ｆｉ通信を実行するための無線ネットワークを識別するための識別子である。
【００２７】
Ｓ４では、ＣＰＵ３２は、Ｗｉ−ＦｉＩ／Ｆ２０をＯＦＦ状態からＯＮ状態に変更する。ここで、Ｗｉ−ＦｉＩ／Ｆ２０のＯＦＦ状態は、Ｗｉ−ＦｉＩ／Ｆ２０に電力が供給されていない状態、即ち、Ｗｉ−Ｆｉ通信を実行不可能な状態である。また、Ｗｉ−ＦｉＩ／Ｆ２０のＯＮ状態は、Ｗｉ−ＦｉＩ／Ｆ２０に電力が供給されている状態、即ち、Ｗｉ−Ｆｉ通信を実行可能な状態である。
【００２８】
Ｓ４では、ＣＰＵ３２は、さらに、ＷＦＤのＧ／Ｏ（Group Ownerの略）ネゴシエーションを実行することなく、プリンタＰＲの動作状態をＷＦＤのデバイス状態からＧ／Ｏ状態に自発的に移行させる。Ｇ／Ｏ状態であるプリンタＰＲは、Ｗｉ−ＦｉＩ／Ｆ２０を介して、周囲の機器に自身の存在を知らせるためのビーコン信号を送信する。一方、Ｇ／Ｏ状態以外の状態（例えば、上記のデバイス状態、クライアント状態）であるプリンタＰＲは、ビーコン信号を送信しない。このために、Ｇ／Ｏ状態であるプリンタＰＲの消費電力は、Ｇ／Ｏ状態以外の状態であるプリンタＰＲの消費電力よりも高い。
【００２９】
次いで、ＣＰＵ３２は、Ｓ１０及びＳ４０の各監視処理を順次実行する。Ｓ１０では、ＣＰＵ３２は、プリンタＰＲの操作部１２又は表示部１４（即ちタッチパネル）にユーザによってＷｉ−Ｆｉ接続操作が実行されることを監視する。Ｗｉ−Ｆｉ接続操作は、プリンタＰＲと携帯端末（例えばＰＴ１）との間にＷｉ−Ｆｉ方式に従った無線接続（以下では「Ｗｉ−Ｆｉ接続」と呼ぶ）を確立するための操作である。Ｗｉ−Ｆｉ接続操作は、通常、プリンタＰＲとのＷｉ−Ｆｉ接続が過去に確立されていない携帯端末のユーザによって実行される。ＣＰＵ３２は、Ｗｉ−Ｆｉ接続操作が実行される場合に、Ｓ１０でＹＥＳと判断して、Ｓ１２に進む。
【００３０】
Ｓ１２では、ＣＰＵ３２は、メモリ３４からＳＳＩＤを取得して、取得済みのＳＳＩＤを表示部１４に表示させる。これにより、ユーザは、表示部１４を見ることによって、プリンタＰＲとのＷｉ−Ｆｉ接続を確立するために必要なＳＳＩＤを知ることができる。なお、上述したように、Ｓ２において、ＳＳＩＤがメモリ３４に格納される。ただし、Ｓ２が実行された後に、後述のＳ３４又はＳ５６が実行されると、メモリ３４内の古いＳＳＩＤに代えて、新たなＳＳＩＤがメモリ３４に格納される。従って、Ｓ２が実行された後に、Ｓ３４又はＳ５６が１回も実行されていない状況では、Ｓ１２で表示されるＳＳＩＤは、Ｓ２で生成されたＳＳＩＤである。また、Ｓ２が実行された後に、Ｓ３４又はＳ５６が実行済みである状況では、Ｓ１２で表示されるＳＳＩＤは、最新のＳ３４又はＳ５４で生成されたＳＳＩＤである。以下では、メモリ３４に現在格納されているＳＳＩＤのことを「現行ＳＳＩＤ」と呼ぶ。
【００３１】
Ｓ１４では、ＣＰＵ３２は、携帯端末から、Ｗｉ−ＦｉＩ／Ｆ２０を介して、Ｐｒｏｂｅ  Ｒｅｑｕｅｓｔ信号（以下では「Ｐｒｏｂｅ＿Ｒｅｑ信号」と記載する）を受信したのか否かを判断する。Ｐｒｏｂｅ＿Ｒｅｑ信号は、携帯端末からブロードキャスト送信される信号であり、より具体的には、携帯端末の周囲に存在するＧ／Ｏ状態の機器及びアクセスポイントをサーチするための信号である。ＣＰＵ３２は、Ｐｒｏｂｅ＿Ｒｅｑ信号を受信した場合には、Ｓ１４でＹＥＳと判断して、Ｓ１６に進む。一方、ＣＰＵ３２は、Ｓ１２が終了してから所定時間が経過するまでにＰｒｏｂｅ＿Ｒｅｑ信号を受信しなかった場合には、Ｓ１４でＮＯと判断し、Ｓ１６〜Ｓ３２をスキップして、Ｓ３４に進む。
【００３２】
Ｓ１６では、ＣＰＵ３２は、Ｗｉ−ＦｉＩ／Ｆ２０を介して、現行ＳＳＩＤを含むＰｒｏｂｅ  Ｒｅｓｐｏｎｓｅ信号（以下では「Ｐｒｏｂｅ＿Ｒｅｓ信号」と記載する）を携帯端末に送信する。Ｐｒｏｂｅ＿Ｒｅｓ信号は、Ｐｒｏｂｅ＿Ｒｅｑ信号に対する応答信号である。なお、携帯端末は、Ｐｒｏｂｅ＿Ｒｅｓ信号を受信すると、Ｐｒｏｂｅ＿Ｒｅｓ信号に含まれるＳＳＩＤを携帯端末の表示部に表示する。ここで、携帯端末のユーザは、携帯端末の表示部に表示されているＳＳＩＤと、上記のＳ１２でプリンタＰＲの表示部１４に表示されたＳＳＩＤと、を対比して確認することによって、携帯端末の表示部に表示されているＳＳＩＤがどの装置のＳＳＩＤかを把握することが可能であり、プリンタＰＲの現行ＳＳＩＤを選択し得る。これにより、ユーザは、後述のＷｉ−Ｆｉ接続要求信号の送信を携帯端末に指示することができる。
【００３３】
Ｓ１８では、ＣＰＵ３２は、携帯端末から、Ｗｉ−ＦｉＩ／Ｆ２０を介して、現行ＳＳＩＤを含むＷｉ−Ｆｉ接続要求信号を受信したのか否かを判断する。Ｗｉ−Ｆｉ接続要求信号は、Ｗｉ−Ｆｉ接続の確立をプリンタＰＲに要求するための信号であり、具体的には、Ａｓｓｏｃｉａｔｉｏｎ  Ｒｅｑｕｅｓｔ信号である。ＣＰＵ３２は、現行ＳＳＩＤを含むＷｉ−Ｆｉ接続要求信号を受信した場合には、Ｓ１８でＹＥＳと判断して、Ｓ２０に進む。一方、ＣＰＵ３２は、Ｓ１６が終了してから所定時間が経過するまでに現行ＳＳＩＤを含むＷｉ−Ｆｉ接続要求信号を受信しなかった場合には、Ｓ１８でＮＯと判断し、Ｓ２０〜Ｓ３２をスキップして、Ｓ３４に進む。
【００３４】
Ｓ２０では、ＣＰＵ３２は、Ｗｉ−ＦｉＩ／Ｆ２０を介した無線接続（即ちＷｉ−Ｆｉ接続）を携帯端末と確立する。具体的には、ＣＰＵ３２は、Ｗｉ−ＦｉＩ／Ｆ２０を介して、各種の信号の通信（例えば、Ａｓｓｏｃｉａｔｉｏｎ  Ｒｅｓｐｏｎｓｅ信号の送信、４−Ｗａｙ Ｈａｎｄｓｈａｋｅの通信等）を携帯端末と実行する。ＣＰＵ３２は、上記の各種の信号の通信の過程で、携帯端末からＳＳＩＤとパスワードとを含むＷｉ−Ｆｉ設定情報を受信して、Ｗｉ−Ｆｉ設定情報の認証を実行する。ＣＰＵ３２は、受信済みのＳＳＩＤが現行ＳＳＩＤに一致し、かつ、受信済みのパスワードが所定のパスワードに一致する場合に、Ｗｉ−Ｆｉ設定情報の認証が成功したと判断して、携帯端末とのＷｉ−Ｆｉ接続を確立する。ここで、所定のパスワードは、プリンタＰＲに予め設定されている固定の文字列である。即ち、本実施例では、プリンタＰＲの電源がＯＮされたり、後述のＳ３４又はＳ５６が実行されたりすると、ＳＳＩＤが変更されるが、パスワードは変更されない。
【００３５】
上述したように、Ｓ２０において、プリンタＰＲと携帯端末との間にＷｉ−Ｆｉ接続が確立される。これにより、プリンタＰＲがＧ／Ｏ状態で動作し、かつ、携帯端末がいわゆるレガシーとして動作するＷｉ−Ｆｉ方式の無線ネットワーク（以下では「Ｗｉ−Ｆｉネットワーク」と記載する）が形成される。レガシーは、ＷＦＤに従った動作を実行することなく、Ｗｉ−Ｆｉネットワークに参加する機器を意味する。Ｇ／Ｏ状態であるプリンタＰＲがＷｉ−Ｆｉネットワークを管理するので、Ｇ／Ｏ状態であるプリンタＰＲは、Ｗｉ−Ｆｉネットワークの親局（換言するとマスタデバイス）であると言える。また、レガシーである携帯端末が当該Ｗｉ−Ｆｉネットワークに参加するので、レガシーである携帯端末は、Ｗｉ−Ｆｉネットワークの子局（換言するとスレーブデバイス）であると言える。
【００３６】
Ｓ２４では、ＣＰＵ３２は、Ｗｉ−Ｆｉネットワークを利用して（即ちＷｉ−Ｆｉ接続を利用して）、Ｗｉ−ＦｉＩ／Ｆ２０を介して、メモリ３４内のプリンタＰＲのＢＴデバイス名「ＮＰ」を携帯端末に送信する。
【００３７】
Ｓ２６では、ＣＰＵ３２は、メモリ３４内の送信フラグ３８が「ＯＦＦ」を示すのか否かを判断する。ＣＰＵ３２は、送信フラグ３８が「ＯＦＦ」を示すと判断する場合（Ｓ２６でＹＥＳ）には、Ｓ２８において、送信フラグ３８を「ＯＮ」に変更し、Ｓ３０に進む。一方、ＣＰＵ３２は、送信フラグ３８が「ＯＮ」を示すと判断する場合（Ｓ２６でＮＯ）には、Ｓ２８をスキップして、Ｓ３０に進む。
【００３８】
Ｓ３０では、ＣＰＵ３２は、Ｗｉ−Ｆｉネットワークを利用して、携帯端末から、Ｗｉ−ＦｉＩ／Ｆ２０を介して、印刷対象の画像を表わす印刷データを受信する。そして、ＣＰＵ３２は、印刷データを印刷実行部１６に供給して、印刷データに従った印刷を印刷実行部１６に実行させる。
【００３９】
Ｓ３２では、ＣＰＵ３２は、Ｗｉ−Ｆｉネットワークを利用して、携帯端末から、Ｗｉ−ＦｉＩ／Ｆ２０を介して、切断信号を受信する。切断信号は、Ｗｉ−Ｆｉ接続の切断を要求するための信号である。この結果、プリンタＰＲと携帯端末との間のＷｉ−Ｆｉ接続が切断される。
【００４０】
Ｓ３４では、ＣＰＵ３２は、新たなＳＳＩＤを生成して、メモリ３４内の古いＳＳＩＤに代えて、新たなＳＳＩＤをメモリ３４に格納させる。即ち、ＣＰＵ３２は、ＳＳＩＤを変更する。このように、ＳＳＩＤが変更されるので、Ｗｉ−Ｆｉネットワークのセキュリティを高め得る。Ｓ３４が終了すると、Ｓ１０に戻る。
【００４１】
また、Ｓ４０では、ＣＰＵ３２は、Ｗｉ−Ｆｉ接続操作が実行されることなく（Ｓ１０でＮＯ）、携帯端末から、Ｗｉ−ＦｉＩ／Ｆ２０を介して、現行ＳＳＩＤを含むＷｉ−Ｆｉ接続要求信号を受信することを監視する。ＣＰＵ３２は、現行ＳＳＩＤを含むＷｉ−Ｆｉ接続要求信号を受信した場合には、Ｓ４０でＹＥＳと判断して、Ｓ５０に進む。Ｓ５０、Ｓ５２、Ｓ５４、Ｓ５６は、それぞれ、Ｓ２０、Ｓ３０、Ｓ３２、Ｓ３４と同様である。Ｓ５６が終了すると、Ｓ１０に戻る。
【００４２】
（プリンタＰＲのＢＴＩ／Ｆ関連処理；図３）
続いて、図３を参照して、プリンタＰＲのＣＰＵ３２が実行するＢＴＩ／Ｆ関連処理について説明する。ＢＴＩ／Ｆ関連処理は、主に、ＢＴＩ／Ｆ２２に関連する処理である。ＣＰＵ３２は、プリンタＰＲの電源がＯＮされると、図３の処理を開始する。
【００４３】
Ｓ７０では、ＣＰＵ３２は、ＢＴＩ／Ｆ２２がＯＦＦ状態であるのか否かを判断する。ＣＰＵ３２は、ＢＴＩ／Ｆ２２の状態をＢＴＩ／Ｆ２２に問い合わせて、ＢＴＩ／Ｆ２２からＯＦＦ状態を示す情報を取得する場合には、Ｓ７０でＹＥＳと判断してＳ７２に進み、ＢＴＩ／Ｆ２２からＯＮ状態を示す情報を取得する場合には、Ｓ７０でＮＯと判断してＳ８０に進む。ここで、ＢＴＩ／Ｆ２２のＯＦＦ状態は、ＢＴＩ／Ｆ２２に電力が供給されていない状態、即ち、ＢＴ通信を実行不可能な状態である。また、ＢＴＩ／Ｆ２２のＯＮ状態は、ＢＴＩ／Ｆ２２に電力が供給されている状態、即ち、ＢＴ通信を実行可能な状態である。ＯＮ状態であるＢＴＩ／Ｆ２２の消費電力（即ちＢＬＥの消費電力）は、ＯＮ状態であるＷｉ−ＦｉＩ／Ｆ２０の消費電力よりも低い。
【００４４】
Ｓ７２では、ＣＰＵ３２は、メモリ３４内の送信フラグ３８が「ＯＮ」を示すのか否かを判断する。ＣＰＵ３２は、送信フラグ３８が「ＯＮ」を示すと判断する場合（Ｓ７２でＹＥＳ）には、Ｓ７４において、ＢＴＩ／Ｆ２２をＯＦＦ状態からＯＮ状態に変更する。Ｓ７４でＢＴＩ／Ｆ２２がＯＮ状態に変更されるまで、ＢＴＩ／Ｆ２２をＯＦＦ状態に設定することができるので、プリンタＰＲの消費電力を低減させることができる。一方、ＣＰＵ３２は、送信フラグ３８が「ＯＦＦ」を示すと判断する場合（Ｓ７２でＮＯ）には、Ｓ７４をスキップして、Ｓ７０に戻る。
【００４５】
Ｓ８０（即ちＢＴＩ／Ｆ２２がＯＮ状態）では、ＣＰＵ３２は、まず、メモリ３４から、プリンタＰＲのＢＴデバイス名「ＮＰ」と、現行ＳＳＩＤと、所定のパスワードと、を取得する。そして、ＣＰＵ３２は、ＢＴＩ／Ｆ２２を介して、取得済みの各情報を含むＡｄｖｅｒｔｉｓｅ信号をブロードキャスト送信する。ここで、ブロードキャスト送信は、送信先が特定されていない信号である。即ち、Ａｄｖｅｒｔｉｓｅ信号は、送信元を示す情報としてＢＴデバイス名「ＮＰ」を含むが、送信先を示す情報を含んでいない。Ａｄｖｅｒｔｉｓｅ信号は、プリンタＰＲの周囲の機器にプリンタ自身の存在を知らせるための信号である。特に、ＣＰＵ３２は、Ｂｌｕｅｔｏｏｔｈの論理リンク（即ちＢｌｕｅｔｏｏｔｈ方式の無線接続）を確立することなく、Ａｄｖｅｒｔｉｓｅ信号を外部に送信する。より具体的には、Ｂｌｕｅｔｏｏｔｈのプロトコルスタックのうち、Ｌ２ＣＡＰ層以上の通信が実行されず、Ｌ２ＣＡＰ層よりも下位層（即ちＬｉｎｋ  Ｍａｎｅｇｅｒ層又はＬｉｎｋ  Ｌａｙｅｒ層）の通信が実行されて、外部に送信される。Ｌ２ＣＡＰ層は、Ｂｌｕｅｔｏｏｔｈの論理リンクを確立するための最上位層である。即ち、Ａｄｖｅｒｔｉｓｅ信号は、論理リンクを確立するための最上位層の通信が実行されずに、当該最上位層よりも下位層の通信が実行されて、外部に送信される。
【００４６】
Ｓ８０が終了すると、Ｓ７０に戻る。そして、Ｓ７０でＮＯを経てＳ８０が再び実行されると、ＣＰＵ３２は、Ａｄｖｅｒｔｉｓｅ信号を再びブロードキャスト送信する。即ち、ＣＰＵ３２は、Ａｄｖｅｒｔｉｓｅ信号をブロードキャスト送信することを繰り返す。
【００４７】
（携帯端末ＰＴ１の処理；図４）
続いて、図４を参照して、携帯端末ＰＴ１のＣＰＵ７２が実行する処理について説明する。なお、携帯端末ＰＴ２も同様の処理を実行可能である。ＣＰＵ７２は、プリンタアプリケーション７８を起動するための操作が携帯端末ＰＴ１に実行されると、プリンタアプリケーション７８に従って、図４の処理を開始する。なお、携帯端末ＰＴ１に対する操作は、操作部５２に実行されてもよいし、表示部５４（即ちタッチパネル）に実行されてもよい。この点は、以下でも同様である。
【００４８】
ＣＰＵ７２は、Ｓ１００及びＳ１４０の各監視処理を順次実行することを繰り返す。Ｓ１００では、ＣＰＵ７２は、ユーザによってＷｉ−Ｆｉ接続操作が携帯端末ＰＴ１に実行されることを監視する。Ｗｉ−Ｆｉ接続操作は、通常、プリンタＰＲとのＷｉ−Ｆｉ接続が過去に確立されていない携帯端末のユーザによって実行される。ＣＰＵ７２は、Ｗｉ−Ｆｉ接続操作が実行される場合に、Ｓ１００でＹＥＳと判断して、Ｓ１０２に進む。
【００４９】
Ｓ１０２では、ＣＰＵ７２は、Ｗｉ−ＦｉＩ／Ｆ６０を介して、Ｐｒｏｂｅ＿Ｒｅｑ信号をブロードキャスト送信する。プリンタＰＲと携帯端末ＰＴ１との間の距離が、Ｗｉ−Ｆｉ通信を実行可能な距離よりも短ければ、Ｐｒｏｂｅ＿Ｒｅｑ信号は、プリンタＰＲによって受信され得る（図２のＳ１４でＹＥＳ参照）。
【００５０】
Ｓ１０４では、ＣＰＵ７２は、Ｗｉ−ＦｉＩ／Ｆ６０を介して、Ｐｒｏｂｅ＿Ｒｅｓ信号を受信したのか否かを判断する。ＣＰＵ７２は、プリンタＰＲがＧ／Ｏ状態で動作している場合には、プリンタＰＲからＰｒｏｂｅ＿Ｒｅｓ信号を受信する（図２のＳ１６参照）。また、ＣＰＵ７２は、携帯端末ＰＴ１の周囲にＡＰ（Access Pointの略）が存在する場合には、ＡＰからＰｒｏｂｅ＿Ｒｅｓ信号を受信する。ＣＰＵ７２は、１個以上のＰｒｏｂｅ＿Ｒｅｓ信号を受信する場合には、Ｓ１０４でＹＥＳと判断して、Ｓ１０６に進む。一方、ＣＰＵ７２は、Ｓ１０２が終了してから所定時間が経過するまでに１個のＰｒｏｂｅ＿Ｒｅｓ信号も受信しない場合には、Ｓ１０４でＮＯと判断し、Ｓ１０６〜Ｓ１２０をスキップして、Ｓ１００に戻る。
【００５１】
Ｓ１０６では、ＣＰＵ７２は、受信済みの１個以上のＰｒｏｂｅ＿Ｒｅｓ信号に含まれる１個以上のＳＳＩＤを表示部５４に表示させる。これにより、ユーザは、１個以上のＳＳＩＤの中から、プリンタＰＲで表示された現行ＳＳＩＤ（図２のＳ１２参照）を選択する操作を携帯端末ＰＴ１に実行し得る。即ち、ユーザは、上記の１個以上のＳＳＩＤと、上記の図２のＳ１２でプリンタＰＲの表示部１４に表示された現行ＳＳＩＤと、を対比して、上記の１個以上のＳＳＩＤの中から現行ＳＳＩＤを選択することができる。
【００５２】
Ｓ１０８では、ＣＰＵ７２は、Ｓ１０６で表示された１個以上のＳＳＩＤの中から１個のＳＳＩＤを選択する操作がユーザによって携帯端末ＰＴ１に実行されたのか否かを判断する。ＣＰＵ７２は、ＳＳＩＤを選択する操作が実行された場合には、Ｓ１０８でＹＥＳと判断して、Ｓ１１０に進む。なお、図４では、プリンタＰＲの現行ＳＳＩＤが選択されることを前提として、Ｓ１１０〜Ｓ１２０の処理が記述されている。一方、ＣＰＵ７２は、ＳＳＩＤを選択する操作が実行されない場合、即ち、ユーザによってキャンセルが指示される場合には、Ｓ１０８でＮＯと判断し、Ｓ１１０〜Ｓ１２０をスキップして、Ｓ１００に戻る。
【００５３】
Ｓ１１０では、ＣＰＵ７２は、パスワード入力画面を表示部５４に表示させる。例えば、プリンタＰＲの管理者は、プリンタＰＲの所定のパスワードを携帯端末ＰＴ１のユーザに予め通知しておく。これにより、ユーザは、所定のパスワードを入力する操作を携帯端末ＰＴ１に実行し得る。当該操作が実行されると、Ｓ１１２に進む。
【００５４】
Ｓ１１２では、ＣＰＵ７２は、Ｗｉ−ＦｉＩ／Ｆ６０を介して、Ｓ１０８で選択されたＳＳＩＤ（即ちプリンタＰＲの現行ＳＳＩＤ）を含むＷｉ−Ｆｉ接続要求信号をプリンタＰＲに送信する。これにより、Ｗｉ−Ｆｉ接続要求信号は、プリンタＰＲによって受信され得る（図２のＳ１８でＹＥＳ参照）。
【００５５】
Ｓ１１４では、ＣＰＵ７２は、Ｗｉ−ＦｉＩ／Ｆ６０を介した無線接続（即ちＷｉ−Ｆｉ接続）をプリンタＰＲと確立する。具体的には、ＣＰＵ７２は、Ｗｉ−ＦｉＩ／Ｆ６０を介して、各種の信号の通信（例えば、Ａｓｓｏｃｉａｔｉｏｎ  Ｒｅｓｐｏｎｓｅ信号の受信、４−Ｗａｙ Ｈａｎｄｓｈａｋｅの通信等）をプリンタＰＲと実行する。ＣＰＵ７２は、上記の各種の信号の通信の過程で、Ｓ１０８で選択されたＳＳＩＤとＳ１１０で入力されたパスワードとを含むＷｉ−Ｆｉ設定情報をプリンタＰＲに送信する。プリンタＰＲにおいてＷｉ−Ｆｉ設定情報の認証が成功する場合には、プリンタＰＲとのＷｉ−Ｆｉ接続が確立される。これにより、プリンタＰＲがＧ／Ｏ状態で動作し、かつ、携帯端末ＰＴ１がレガシーとして動作するＷｉ−Ｆｉネットワークが形成される（図２のＳ２０参照）。
【００５６】
Ｓ１１６では、ＣＰＵ７２は、Ｗｉ−Ｆｉネットワークを利用して（即ちＷｉ−Ｆｉ接続を利用して）、プリンタＰＲから、Ｗｉ−ＦｉＩ／Ｆ６０を介して、プリンタＰＲのＢＴデバイス名「ＮＰ」を受信する（図２のＳ２４参照）。そして、ＣＰＵ７２は、受信済みのＢＴデバイス名「ＮＰ」をＢＴデバイス名格納領域８０に格納させる。これにより、携帯端末ＰＴ１とのＷｉ−Ｆｉ接続が確立されたプリンタ（以下では「確立済みプリンタ」と呼ぶ）のＢＴデバイス名がＢＴデバイス名格納領域８０に格納される。
【００５７】
Ｓ１１８では、ＣＰＵ７２は、Ｗｉ−Ｆｉネットワークを利用して、Ｗｉ−ＦｉＩ／Ｆ６０を介して、印刷データをプリンタＰＲに送信する。これにより、印刷データによって表わされる画像の印刷をプリンタＰＲに実行させることができる（図２のＳ３０参照）。なお、印刷データは、携帯端末ＰＴ１のメモリ７４に格納されている１個以上の画像ファイルの中から、ユーザによって指定された画像ファイルである。ここで、印刷対象の画像ファイルの指定は、例えば、プリンタアプリケーション７８の起動の直後に実行されてもよいし、Ｓ１１０でパスワードが入力された後に実行されてもよいし、Ｓ１１４でプリンタＰＲとのＷｉ−Ｆｉ接続が確立された後に実行されてもよい。
【００５８】
Ｓ１２０では、ＣＰＵ７２は、プリンタＰＲへの印刷データの送信が完了する場合に、Ｗｉ−Ｆｉネットワークを利用して、Ｗｉ−ＦｉＩ／Ｆ６０を介して、切断信号をプリンタＰＲに送信する。この結果、プリンタＰＲと携帯端末ＰＴ１との間のＷｉ−Ｆｉ接続が切断される（図２のＳ３２参照）。Ｓ１２０が終了すると、Ｓ１００に戻る。
【００５９】
また、Ｓ１４０では、ＣＰＵ７２は、ＢＴＩ／Ｆ６２を介して、Ａｄｖｅｒｔｉｓｅ信号を受信することを監視する。上述したように、プリンタＰＲは、送信フラグ３８がＯＮを示す場合には、ＢＴデバイス名「ＮＰ」と現行ＳＳＩＤと所定のパスワードとを含むＡｄｖｅｒｔｉｓｅ信号をブロードキャスト送信することを繰り返す（図３のＳ８０参照）。従って、プリンタＰＲと携帯端末ＰＴ１との間の距離が、ＢＴ通信を実行可能な最大の距離よりも短ければ、ＣＰＵ７２は、ＢＴＩ／Ｆ６２を介して、プリンタＰＲからＡｄｖｅｒｔｉｓｅ信号を受信する。この場合、ＣＰＵ７２は、Ｓ１４０でＹＥＳと判断して、Ｓ１４２に進む。
【００６０】
Ｓ１４２では、ＣＰＵ７２は、受信済みのＡｄｖｅｒｔｉｓｅ信号内のＢＴデバイス名（即ち受信済みのＢＴデバイス名）がＢＴデバイス名格納領域８０に格納されているのか否かを判断する。上述したように、ＢＴデバイス名格納領域８０は、確立済みプリンタのＢＴデバイス名を格納する（Ｓ１１６参照）。従って、Ｓ１４２の判断は、Ａｄｖｅｒｔｉｓｅ信号の送信元のプリンタＰＲが確立済みプリンタであるのか否かを判断することを意味する。ＣＰＵ７２は、受信済みのＢＴデバイス名がＢＴデバイス名格納領域８０に格納されていると判断する場合（Ｓ１４２でＹＥＳ）には、Ｓ１４８に進む。なお、図４では、プリンタＰＲのＢＴデバイス名「ＮＰ」がＢＴデバイス名格納領域８０に格納されていることを前提として、Ｓ１４８〜Ｓ１５４の処理が記述されている。一方、ＣＰＵ７２は、受信済みのＢＴデバイス名がＢＴデバイス名格納領域８０に格納されていないと判断する場合（Ｓ１４２でＮＯ）には、Ｓ１４８〜Ｓ１５４をスキップして、Ｓ１００に戻る。
【００６１】
Ｓ１４８では、ＣＰＵ７２は、Ｗｉ−ＦｉＩ／Ｆ６０を介して、受信済みのＡｄｖｅｒｔｉｓｅ信号内の現行ＳＳＩＤを含むＷｉ−Ｆｉ接続要求信号をプリンタＰＲに送信する。これにより、Ｗｉ−Ｆｉ接続要求信号は、プリンタＰＲによって受信され得る（図２のＳ４０でＹＥＳ参照）。このように、ＣＰＵ７２は、プリンタＰＲからＡｄｖｅｒｔｉｓｅ信号を受信することをトリガとして、Ｗｉ−Ｆｉ接続要求信号をプリンタＰＲに送信する。従って、Ａｄｖｅｒｔｉｓｅ信号は、Ｗｉ−Ｆｉ接続要求信号をプリンタＰＲに送信するためのトリガ信号であると言える。
【００６２】
Ｓ１５０では、ＣＰＵ７２は、Ｓ１１４と同様に、プリンタＰＲとのＷｉ−Ｆｉ接続を確立する。ここでは、ＣＰＵ７２は、受信済みのＡｄｖｅｒｔｉｓｅ信号内の現行ＳＳＩＤとパスワードとを含むＷｉ−Ｆｉ設定情報を利用して、プリンタＰＲとのＷｉ−Ｆｉ接続を確立する。Ｓ１５２、Ｓ１５４は、それぞれ、Ｓ１１８、Ｓ１２０と同様である。Ｓ１５４が終了すると、Ｓ１００に戻る。
【００６３】
（具体的なケース）
続いて、図５及び図６を参照して、図２〜図４の各処理によって実現される具体的なケースについて説明する。図５及び図６において、プリンタＰＲと携帯端末ＰＴ１，ＰＴ２との間の太線矢印、細線矢印は、それぞれ、Ｗｉ−Ｆｉ通信、ＢＴ通信を示す。
【００６４】
（ケースＡ；図５）
ケースＡの初期状態では、プリンタＰＲの電源がＯＦＦされている。また、携帯端末ＰＴ１は、プリンタＰＲとのＷｉ−Ｆｉ接続を過去に確立していない。即ち、携帯端末ＰＴ１のＢＴデバイス名格納領域８０には、プリンタＰＲのＢＴデバイス名「ＮＰ」が格納されていない。なお、ＢＴデバイス名格納領域８０には、１個のプリンタのＢＴデバイス名も格納されていない。
【００６５】
Ａ０では、プリンタＰＲの電源がユーザによってＯＮされる。この場合、プリンタＰＲは、Ｔ２において、ＳＳＩＤ「Ｘ１」を生成し（図２のＳ２）、Ｔ４において、Ｗｉ−ＦｉＩ／Ｆ２０をＯＮ状態に変更し、Ｇ／Ｏ状態に移行する（Ｓ４）。次いで、Ａ１では、Ｗｉ−Ｆｉ接続操作が携帯端末ＰＴ１のユーザによってプリンタＰＲに実行される（Ｓ１０でＹＥＳ）。この場合、Ｔ１０では、プリンタＰＲは、ＳＳＩＤ「Ｘ１」を表示する（Ｓ１２）。
【００６６】
Ａ２では、プリンタアプリケーション７８を起動するための操作と、Ｗｉ−Ｆｉ接続操作と、がユーザによって携帯端末ＰＴ１に実行される（図４のＳ１００でＹＥＳ）。この場合、Ｔ２０では、携帯端末ＰＴ１は、Ｐｒｏｂｅ＿Ｒｅｑ信号をブロードキャスト送信する（Ｓ１０２）。
【００６７】
プリンタＰＲは、携帯端末ＰＴ１からＰｒｏｂｅ＿Ｒｅｑ信号を受信する場合（図２のＳ１４でＹＥＳ）に、Ｔ２２において、ＳＳＩＤ「Ｘ１」を含むＰｒｏｂｅ＿Ｒｅｓ信号を携帯端末ＰＴ１に送信する（Ｓ１６）。なお、仮に、Ａ２の操作が携帯端末ＰＴ１に実行されない場合には、携帯端末ＰＴ１からＰｒｏｂｅ＿Ｒｅｑ信号が送信されず、この結果、プリンタＰＲは、図２のＳ１４でＮＯと判断する。
【００６８】
携帯端末ＰＴ１は、プリンタＰＲからＰｒｏｂｅ＿Ｒｅｓ信号を受信する場合（図４のＳ１０４でＹＥＳ）に、Ｔ３０において、Ｐｒｏｂｅ＿Ｒｅｓ信号に含まれるＳＳＩＤ「Ｘ１」を表示する（Ｓ１０６）。なお、携帯端末ＰＴ１は、プリンタＰＲとは異なる機器からＰｒｏｂｅ＿Ｒｅｓ信号をさらに受信する場合には、ＳＳＩＤ「Ｘ１」のみならず、当該Ｐｒｏｂｅ＿Ｒｅｓ信号に含まれるＳＳＩＤも表示する。即ち、Ｔ３０では、携帯端末ＰＴ１は、ＳＳＩＤ「Ｘ１」を含む１個以上のＳＳＩＤを表示する。ここで、ユーザは、携帯端末ＰＴ１に表示されている１個以上のＳＳＩＤと、上記のＴ１０でプリンタＰＲに表示されたＳＳＩＤ「Ｘ１」と、を比較することによって、上記の１個以上のＳＳＩＤの中から、プリンタＰＲのＳＳＩＤ「Ｘ１」を確認することができる。
【００６９】
Ａ３では、１個以上のＳＳＩＤの中からＳＳＩＤ「Ｘ１」を選択する操作がユーザによって携帯端末ＰＴ１に実行される（図４のＳ１０８でＹＥＳ）。この場合、Ｔ３２では、携帯端末ＰＴ１は、パスワード入力画面を表示する（Ｓ１１０）。Ａ４では、プリンタＰＲのパスワード「ＰＳ」を入力する操作がユーザによって携帯端末ＰＴ１に実行される。この場合、Ｔ４０では、携帯端末ＰＴ１は、Ａ３で選択されたＳＳＩＤ「Ｘ１」を含むＷｉ−Ｆｉ接続要求信号をプリンタＰＲに送信する。なお、仮に、Ａ３でＳＳＩＤ「Ｘ１」が選択されなかったり、Ａ４でパスワードが入力されずにキャンセルされたりすると、携帯端末ＰＴ１からＷｉ−Ｆｉ接続要求信号が送信されず、この結果、プリンタＰＲは、図２のＳ１８でＮＯと判断する。
【００７０】
携帯端末ＰＴ１からプリンタＰＲにＷｉ−Ｆｉ接続要求信号が送信されると、Ｔ４２において、プリンタＰＲと携帯端末ＰＴ１との間にＷｉ−Ｆｉ接続が確立される（図２のＳ２０、図４のＳ１１４）。なお、プリンタＰＲは、Ｔ４２の過程で、携帯端末ＰＴ１からＳＳＩＤ「Ｘ１」とパスワード「ＰＳ」とを含むＷｉ−Ｆｉ設定情報を受信して、Ｗｉ−Ｆｉ設定情報の認証を実行し、本ケースでは認証が成功するので、携帯端末ＰＴ１とのＷｉ−Ｆｉ接続を確立する。これにより、プリンタＰＲが親局として動作し、かつ、携帯端末ＰＴ１が子局として動作するＷｉ−Ｆｉネットワークが形成される。
【００７１】
プリンタＰＲは、携帯端末ＰＴ１とのＷｉ−Ｆｉ接続を確立した後に、Ｔ４４において、Ｗｉ−Ｆｉ接続を利用して、プリンタＰＲのＢＴデバイス名「ＮＰ」を携帯端末ＰＴ１に送信する（図２のＳ２４）。そして、プリンタＰＲは、送信フラグ３８を「ＯＮ」に変更し（Ｓ２６でＹＥＳ、Ｓ２８）、この結果、Ｔ４６において、ＢＴＩ／Ｆ２２をＯＦＦ状態からＯＮ状態に変更する（図３のＳ７０でＹＥＳ、Ｓ７２でＹＥＳ、Ｓ７４）。
【００７２】
携帯端末ＰＴ１は、プリンタＰＲからＢＴデバイス名「ＮＰ」を受信する場合に、Ｔ５０において、ＢＴデバイス名「ＮＰ」を格納する（図４のＳ１１６）。次いで、携帯端末ＰＴ１は、Ｔ６０において、Ｗｉ−Ｆｉ接続を利用して、印刷データをプリンタＰＲに送信する（Ｓ１１８）。
【００７３】
プリンタＰＲは、携帯端末ＰＴ１から印刷データを受信する場合に、Ｔ６２において、印刷データに従った印刷処理を実行する（図２のＳ３０）。なお、プリンタＰＲがＢＴ通信を利用して携帯端末ＰＴ１から印刷データを受信する構成が考えられる。ただし、印刷データのデータサイズが大きい可能性があり、さらに、ＢＴ通信の通信速度は、Ｗｉ−Ｆｉ通信の通信速度よりも遅い。従って、仮に、ＢＴ通信を利用して印刷データを通信する構成を採用すると、印刷データの通信に長時間を要し得る。これに対し、本実施例では、Ｗｉ−Ｆｉ通信を利用して印刷データを通信するので、印刷データを迅速に通信することができる。
【００７４】
携帯端末ＰＴ１は、印刷データをプリンタＰＲに送信した後に、Ｔ７０において、Ｗｉ−Ｆｉ接続を切断するための切断信号をプリンタＰＲに送信する（図４のＳ１２０）。これにより、プリンタＰＲと携帯端末ＰＴ１との間のＷｉ−Ｆｉ接続が切断される。
【００７５】
プリンタＰＲは、携帯端末ＰＴ１から切断信号を受信した後（図２のＳ３２）に、Ｔ７２において、ＳＳＩＤ「Ｘ１」とは異なるＳＳＩＤ「Ｘ２」を生成する（Ｓ３４）。
【００７６】
（ケースＢ１；図６）
図６のケースＢ１は、図５のケースＡの続きであり、プリンタＰＲのＷｉ−ＦｉＩ／Ｆ２０がＯＮ状態であり（図５のＴ４参照）、ＢＴＩ／Ｆ２２がＯＮ状態である（Ｔ４６参照）。また、携帯端末ＰＴ１のＢＴデバイス名格納領域８０には、確立済みプリンタであるプリンタＰＲのＢＴデバイス名「ＮＰ」が格納されている（Ｔ５０参照）。
【００７７】
Ｔ１００では、プリンタＰＲは、Ａｄｖｅｒｔｉｓｅ信号をブロードキャスト送信することを繰り返す（図３のＳ８０）。Ａｄｖｅｒｔｉｓｅ信号は、信号の送信元を示す情報としてプリンタＰＲのＢＴデバイス名「ＮＰ」を含み、さらに、ＳＳＩＤ「Ｘ２」とパスワード「ＰＳ」とを含む。
【００７８】
上述したように、プリンタＰＲは、送信フラグ３８が「ＯＮ」を示す場合、即ち、ＢＴデバイス名「ＮＰ」を１回でも外部に送信した場合には、ＢＴＩ／Ｆ２２がＯＮ状態であり（図５のＴ４６参照）、Ａｄｖｅｒｔｉｓｅ信号を繰り返し送信する（Ｔ１００）。一方、プリンタＰＲは、送信フラグ３８が「ＯＦＦ」を示す場合、即ち、ＢＴデバイス名「ＮＰ」を１回も外部に送信していない場合には、ＢＴＩ／Ｆ２２をＯＦＦ状態に維持して、Ａｄｖｅｒｔｉｓｅ信号を送信しない（図３のＳ７２でＮＯ、Ｓ７０でＹＥＳ）。このために、プリンタＰＲの省電力を実現することができる。
【００７９】
Ａ１０では、プリンタアプリケーション７８を起動するための操作がユーザによって携帯端末ＰＴ１に実行される（図４の処理のトリガ）。この場合、携帯端末ＰＴ１は、プリンタＰＲからＡｄｖｅｒｔｉｓｅ信号を受信し（Ｓ１４０でＹＥＳ）、Ｔ１０２において、Ａｄｖｅｒｔｉｓｅ信号内のＢＴデバイス名「ＮＰ」がＢＴデバイス名格納領域８０に格納されていると判断する（Ｓ１４２でＹＥＳ）。そして、Ｔ１２０では、携帯端末ＰＴ１は、Ａｄｖｅｒｔｉｓｅ信号内のＳＳＩＤ「Ｘ２」を含むＷｉ−Ｆｉ接続要求信号をプリンタＰＲに送信する（Ｓ１４８）。このように、携帯端末ＰＴ１は、ＳＳＩＤを選択するための画面（図５のＴ３０参照）とパスワードを入力するための画面（Ｔ３２参照）とを表示することなく、Ｗｉ−Ｆｉ接続要求信号をプリンタＰＲに送信する。このために、ユーザは、プリンタＰＲと携帯端末ＰＴ１との間に２回目以降のＷｉ−Ｆｉ接続を容易に確立させることができる。
【００８０】
携帯端末ＰＴ１からプリンタＰＲにＷｉ−Ｆｉ接続要求信号が送信されると、Ｔ１２２において、プリンタＰＲと携帯端末ＰＴ１との間にＷｉ−Ｆｉ接続が確立される（図２のＳ５０、図４のＳ１５０）。Ｔ１２２の後に実行されるＴ１３０、Ｔ１３２、Ｔ１４０、Ｔ１４２は、それぞれ、図５のＴ６０、Ｔ６２、Ｔ７０、Ｔ７２と同様である（図２のＳ５２〜Ｓ５６、図４のＳ１５２、Ｓ１５４）。なお、Ｔ１４２では、ＳＳＩＤ「Ｘ１」及び「Ｘ２」とは異なるＳＳＩＤ「Ｘ３」が生成される。
【００８１】
（ケースＢ２）
ケースＢ２もケースＡの続きである。携帯端末ＰＴ２のＢＴデバイス名格納領域（図示省略）には、プリンタＰＲのＢＴデバイス名「ＮＰ」が格納されていない。
【００８２】
Ｔ１５０では、Ｔ１００と同様に、プリンタＰＲは、Ａｄｖｅｒｔｉｓｅ信号を繰り返し送信する（図３のＳ８０）。Ａ２０では、プリンタアプリケーションを起動するための操作がユーザによって携帯端末ＰＴ２に実行される（図４の処理のトリガ）。この場合、携帯端末ＰＴ２は、プリンタＰＲからＡｄｖｅｒｔｉｓｅ信号を受信するが（図４のＳ１４０でＹＥＳ）、Ｔ１５２において、Ａｄｖｅｒｔｉｓｅ信号内のＢＴデバイス名「ＮＰ」がＢＴデバイス名格納領域に格納されていないと判断する（Ｓ１４２でＮＯ）。この結果、携帯端末ＰＴ２は、Ｗｉ−Ｆｉ接続要求信号をプリンタＰＲに送信しない。仮に、プリンタＰＲと携帯端末ＰＴ２との間にＷｉ−Ｆｉ接続を確立させるためには、図５のケースＡと同様の操作Ａ１，Ａ２等が、プリンタＰＲ及び携帯端末ＰＴ２に実行される必要がある。
【００８３】
（第１実施例の効果）
プリンタＰＲは、ＢＴ通信を実行して、Ａｄｖｅｒｔｉｓｅ信号をブロードキャスト送信することを繰り返す（図６のＴ１００）。これにより、Ａｄｖｅｒｔｉｓｅ信号が携帯端末ＰＴ１によって受信され、携帯端末ＰＴ１からプリンタＰＲにＷｉ−Ｆｉ接続要求信号が送信され（Ｔ１２０）、プリンタＰＲと携帯端末ＰＴ１との間にＷｉ−Ｆｉ接続が確立される（Ｔ１２２）。このように、プリンタＰＲと携帯端末ＰＴ１とは、ＢＴ通信を実行した後に、Ｗｉ−Ｆｉネットワークを適切に形成することができ、この結果、Ｗｉ−Ｆｉネットワークを利用して、印刷データの通信を適切に実行することができる。
【００８４】
また、本実施例では、プリンタＰＲと携帯端末ＰＴ１との間でＢＴ通信が実行されるが、プリンタＰＲと携帯端末ＰＴ１との間にＢＴ方式の論理リンク（即ちＢＴ方式の無線接続）を確立せずに済む。このために、プリンタＰＲと携帯端末ＰＴ１とは、ＢＴ方式の論理リンクを確立するための信号を通信せずに済むので、プリンタＰＲと携帯端末ＰＴ１との処理負荷を軽減させ得る。また、プリンタＰＲのＳＳＩＤとパスワードとを含むＷｉ−Ｆｉ設定情報がＡｄｖｅｒｔｉｓｅ信号に含まれているので、プリンタＰＲと携帯端末ＰＴ１とは、Ａｄｖｅｒｔｉｓｅ信号のＢＴ通信の後に、Ｗｉ−Ｆｉ設定情報のＢＴ通信を実行せずに済む。この点でも、プリンタＰＲと携帯端末ＰＴ１との処理負荷を軽減させ得る。
【００８５】
また、本実施例では、携帯端末ＰＴ１がプリンタＰＲのＢＴデバイス名「ＮＰ」を格納している場合、即ち、携帯端末ＰＴ１がプリンタＰＲとのＷｉ−Ｆｉ接続を過去に確立している場合には、携帯端末ＰＴ１から確立済みプリンタであるプリンタＰＲにＷｉ−Ｆｉ接続要求信号が送信される（図６のケースＢ１参照）。これにより、Ｗｉ−Ｆｉ接続操作がプリンタＰＲ及び携帯端末ＰＴ１に実行されなくても、プリンタＰＲと携帯端末ＰＴ１との間にＷｉ−Ｆｉ接続が確立される。携帯端末ＰＴ１のユーザは、確立済みプリンタとのＷｉ−Ｆｉ接続を容易に確立させることができる。
【００８６】
一方、携帯端末ＰＴ２がプリンタＰＲのＢＴデバイス名「ＮＰ」を格納していない場合、即ち、携帯端末ＰＴ２がプリンタＰＲとのＷｉ−Ｆｉ接続を過去に確立していない場合には、携帯端末ＰＴ２からプリンタＰＲにＷｉ−Ｆｉ接続要求信号が送信されない（図６のケースＢ２参照）。そして、プリンタＰＲと携帯端末ＰＴ２との間にＷｉ−Ｆｉ接続を確立するためには、Ｗｉ−Ｆｉ接続操作がプリンタＰＲ及び携帯端末ＰＴ２に実行される必要があり（図５のＡ１，Ａ２参照）、さらに、ＳＳＩＤを選択するための操作とパスワードを入力するための操作とが携帯端末ＰＴ２に実行される必要がある（図５のＡ３，Ａ４参照）。これにより、例えば、プリンタＰＲを利用することがプリンタＰＲの管理者によって許可されていない携帯端末ＰＴ２が、プリンタＰＲとのＷｉ−Ｆｉ接続を確立するのを抑制することができる。このために、プリンタＰＲのセキュリティを向上させることができる。
【００８７】
また、各携帯端末ＰＴ１，ＰＴ２は、ＢＴデバイス名格納領域８０を備えており、プリンタＰＲのＢＴデバイス名「ＮＰ」がＢＴデバイス名格納領域８０に格納されているのか否かを判断し（図４のＳ１４２）、判断結果に応じて、その後の処理を変える。従って、プリンタＰＲは、ＢＴデバイス名格納領域を備えずに済み、さらに、判断処理を実行せずに済む。このために、プリンタＰＲの処理負荷を低減させ得る。
【００８８】
（対応関係）
プリンタＰＲ、携帯端末ＰＴ１，ＰＴ２が、それぞれ、「第１の通信機器」、「第２の通信機器」の一例である。ＢＴデバイス名「ＮＰ」が、「第１の機器識別情報」の一例である。プリンタＰＲから見ると、携帯端末ＰＴ１が、「第３の通信機器」の一例である。携帯端末ＰＴ１から見ると、プリンタＰＲ、ＢＴデバイス名「ＮＰ」が、それぞれ、「第３の通信機器」、「第３の機器識別情報」の一例である。Ｗｉ−Ｆｉ方式、Ｗｉ−ＦｉＩ／Ｆ２０，６０が、それぞれ、「第１の通信方式」、「第１のインターフェース」の一例である。ＢＴ方式、ＢＴＩ／Ｆ２２，６２が、それぞれ、「第２の通信方式」、「第２のインターフェース」の一例である。Ａｄｖｅｒｔｉｓｅ信号、Ｗｉ−Ｆｉ接続要求信号が、それぞれ、「トリガ信号」、「無線接続要求」の一例である。ＢＴＩ／Ｆ２２のＯＦＦ状態、ＯＮ状態が、それぞれ、「第１の状態」、「第２の状態」の一例である。また、図６のＴ１２２で確立されるＷｉ−Ｆｉ接続、図５のＴ４２で確立されるＷｉ−Ｆｉ接続が、それぞれ、「第１の無線接続」、「第２の無線接続」の一例である。図６のＴ１００のＡｄｖｅｒｔｉｓｅ信号内のＳＳＩＤ「Ｘ２」とパスワード「ＰＳ」とが、「ネットワーク関係情報」の一例である。
【００８９】
（第２実施例）
第１実施例と異なる点を中心に説明する。第１実施例では、プリンタＰＲからブロードキャスト送信されるＡｄｖｅｒｔｉｓｅ信号は、プリンタＰＲのＢＴデバイス名「ＮＰ」と、現行ＳＳＩＤと、パスワードと、を含む（図３のＳ８０）。本実施例では、Ａｄｖｅｒｔｉｓｅ信号は、ＢＴデバイス名「ＮＰ」を含むが、現行ＳＳＩＤとパスワードとを含まない。この点が、第１実施例とは大きく異なる。
【００９０】
（プリンタＰＲのＷｉ−ＦｉＩ／Ｆ関連処理；図７）
本実施例では、図２に代えて、図７のＷｉ−ＦｉＩ／Ｆ関連処理が実行される。Ｓ２は、図２のＳ２と同様である。図２では、Ｓ２が終了するとＳ４が実行されるが、図７では、Ｓ２が終了するとＳ１０に進む。
【００９１】
Ｓ１０は、図２のＳ１０と同様である。Ｓ１０でＹＥＳの場合、ＣＰＵ３２は、Ｓ１１を実行する。Ｓ１１は、図２のＳ４と同様である。その後に実行されるＳ１２〜Ｓ３２は、図２のＳ１２〜Ｓ３２と同様である。Ｓ３４Ａでは、ＣＰＵ３２は、プリンタＰＲの動作状態をＧ／Ｏ状態からデバイス状態に移行させる（即ちＧ／Ｏ状態を停止する）。これにより、プリンタＰＲの消費電力を低減させることができる。Ｓ３４Ａでは、ＣＰＵ３２は、さらに、Ｗｉ−ＦｉＩ／Ｆ２０をＯＮ状態からＯＦＦ状態に変更する。これにより、プリンタＰＲの消費電力を低減させることができる。Ｓ３４Ａでは、さらに、ＣＰＵ３２は、新たなＳＳＩＤを生成して、メモリ３４内の古いＳＳＩＤに代えて、新たなＳＳＩＤをメモリ３４に格納させる。Ｓ３４Ａが終了すると、Ｓ１０に戻る。
【００９２】
また、Ｓ４０Ａでは、ＣＰＵ３２は、Ｗｉ−Ｆｉ接続操作が実行されることなく（Ｓ１０でＮＯ）、ＢＴＩ／Ｆ関連処理から所定の通知（図３のＳ９０参照）を取得することを監視する。以下では、プリンタＰＲとのＷｉ−Ｆｉ接続が確立された携帯端末のことを「確立済み端末」と呼ぶ。所定の通知は、ＢＴ通信によって確立済み端末からＳｃａｎ  Ｒｅｑｕｅｓｔ信号を受信する場合に、ＢＴＩ／Ｆ関連処理からＷｉ−ＦｉＩ／Ｆ関連処理に供給される通知である。ＣＰＵ３２は、所定の通知を取得する場合に、Ｓ４０ＡでＹＥＳと判断して、Ｓ４２に進む。
【００９３】
Ｓ４２は、Ｓ１１と同様である。Ｓ４４では、ＣＰＵ３２は、確立済み端末である携帯端末から、Ｗｉ−ＦｉＩ／Ｆ２０を介して、現行ＳＳＩＤを含むＷｉ−Ｆｉ接続要求信号を受信するのかを判断する。ＣＰＵ３２は、現行ＳＳＩＤを含むＷｉ−Ｆｉ接続要求信号を受信した場合には、Ｓ４４でＹＥＳと判断して、Ｓ５０に進む。一方、ＣＰＵ３２は、Ｓ４２が終了してから所定時間が経過するまでに現行ＳＳＩＤを含むＷｉ−Ｆｉ接続要求信号を受信しなかった場合には、Ｓ４４でＮＯと判断し、Ｓ５０〜Ｓ５４をスキップしてＳ５６Ａに進む。Ｓ５０〜Ｓ５４は、図２のＳ５０〜Ｓ５４と同様である。Ｓ５６Ａは、Ｓ３４Ａと同様である。Ｓ５６Ａが終了すると、Ｓ１０に戻る。
【００９４】
（プリンタＰＲのＢＴＩ／Ｆ関連処理；図３）
続いて、図３を参照して、本実施例のＢＴＩ／Ｆ関連処理の内容を説明する。Ｓ７０〜Ｓ７４は、第１実施例と同様である。Ｓ８０では、プリンタＰＲのＣＰＵ３２は、送信元を示す情報としてＢＴデバイス名「ＮＰ」を含むＡｄｖｅｒｔｉｓｅ信号をブロードキャスト送信する。ただし、Ａｄｖｅｒｔｉｓｅ信号は、現行ＳＳＩＤとパスワードとを含まない。Ｓ８０が終了すると、Ｓ８２に進む。
【００９５】
Ｓ８２では、ＣＰＵ３２は、携帯端末から、ＢＴＩ／Ｆ２２を介して、Ｓｃａｎ  Ｒｅｑｕｅｓｔ信号（以下では「Ｓｃａｎ＿Ｒｅｑ信号」と記載する）を受信したのか否かを判断する。Ｓｃａｎ＿Ｒｅｑ信号は、Ａｄｖｅｒｔｉｓｅ信号を受信した携帯端末が確立済み端末である場合に、携帯端末から送信される信号である。Ｓｃａｎ＿Ｒｅｑ信号は、ユニキャスト信号であり、送信先を示す情報としてプリンタＰＲのＢＴデバイス名「ＮＰ」を含むと共に、送信元を示す情報として携帯端末のＢＴデバイス名（例えば携帯端末ＰＴ１のＢＴデバイス名「Ｎ１」）を含む。Ｓｃａｎ＿Ｒｅｑ信号は、ＳＳＩＤ及びパスワードを含むＷｉ−Ｆｉ設定情報をプリンタＰＲに要求するための信号である。特に、ＣＰＵ３２は、論理リンクを確立しなくても、Ｓｃａｎ＿Ｒｅｑ信号を受信することができる。即ち、Ｓｃａｎ＿Ｒｅｑ信号は、論理リンクを確立するための最上位層の通信が実行されずに、当該最上位層よりも下位層の通信が実行されて、外部から受信される。ＣＰＵ３２は、Ｓｃａｎ＿Ｒｅｑ信号を受信した場合には、Ｓ８２でＹＥＳと判断して、Ｓ９０に進む。一方、ＣＰＵ３２は、Ｓ８０が終了してから所定時間が経過するまでにＳｃａｎ＿Ｒｅｑ信号を受信しなかった場合には、Ｓ８２でＮＯと判断して、Ｓ９０，Ｓ９２をスキップしてＳ７０に戻る。
【００９６】
Ｓ９０では、ＣＰＵ３２は、Ｗｉ−ＦｉＩ／Ｆ関連処理（図７参照）に所定の通知を供給する。これにより、Ｗｉ−ＦｉＩ／Ｆ２０がＯＮ状態に変更され、プリンタＰＲの動作状態がＧ／Ｏ状態に移行される（図７のＳ４０ＡでＹＥＳ、Ｓ４２）。
【００９７】
Ｓ９２では、ＣＰＵ３２は、ＢＴＩ／Ｆ２２を介して、Ｓｃａｎ＿Ｒｅｑ信号の送信元の携帯端末にＳｃａｎ  Ｒｅｓｐｏｎｓｅ信号（以下では「Ｓｃａｎ＿Ｒｅｓ信号」と記載する）を送信する。Ｓｃａｎ＿Ｒｅｓ信号は、Ｓｃａｎ＿Ｒｅｑ信号に対する応答信号であり、現行ＳＳＩＤと所定のパスワード（即ちプリンタＰＲに予め設定されている固定の文字列）とを含む。また、Ｓｃａｎ＿Ｒｅｓ信号は、ユニキャスト信号であり、送信先を示す情報として携帯端末のＢＴデバイス名（即ち、Ｓｃａｎ＿Ｒｅｑ信号内の送信元のＢＴデバイス名）を含むと共に、送信元を示す情報としてプリンタＰＲのＢＴデバイス名「ＮＰ」を含む。ＣＰＵ３２は、論理リンクを確立することなく、Ｓｃａｎ＿Ｒｅｓ信号を送信する。即ち、Ｓｃａｎ＿Ｒｅｓ信号は、論理リンクを確立するための最上位層の通信が実行されずに、当該最上位層よりも下位層の通信が実行されて、外部に送信される。Ｓ９２が終了すると、Ｓ７０に戻る。
【００９８】
（携帯端末の処理；図４）
続いて、図４を参照して、本実施例の携帯端末ＰＴ１の処理の内容を説明する。Ｓ１００〜Ｓ１２０、Ｓ１４０、及び、Ｓ１４２は、第１実施例と同様である。携帯端末ＰＴ１のＣＰＵ７２は、Ｓ１４２でＹＥＳの場合に、Ｓ１４４において、Ｓｃａｎ＿Ｒｅｑ信号を確立済みプリンタであるプリンタＰＲにユニキャスト送信する。これにより、Ｓｃａｎ＿Ｒｅｑ信号は、プリンタＰＲによって受信され得る（図３のＳ８２でＹＥＳ参照）。
【００９９】
次いで、Ｓ１４６では、ＣＰＵ７２は、確立済みプリンタであるプリンタＰＲから、ＢＴＩ／Ｆ６２を介して、Ｓｃａｎ＿Ｒｅｓ信号（図３のＳ９２参照）を受信したのか否かを判断する。ＣＰＵ７２は、Ｓｃａｎ＿Ｒｅｓ信号を受信した場合には、Ｓ１４６でＹＥＳと判断して、Ｓ１４８に進む。一方、ＣＰＵ７２は、Ｓ１４４が終了してから所定時間が経過するまでにＳｃａｎ＿Ｒｅｓ信号を受信しなかった場合には、Ｓ１４６でＮＯと判断し、Ｓ１４８〜Ｓ１５４をスキップして、Ｓ１００に戻る。Ｓ１４８〜Ｓ１５４は、第１実施例と同様である。
【０１００】
（ケースＣ：図８）
続いて、図８及び図９を参照して、本実施例の具体的なケースについて説明する。図８のケースＣの初期状態は、図５のケースＡの初期状態と同様である。図５のケースＡと異なる点を中心として、ケースＣの内容を説明する。
【０１０１】
プリンタＰＲは、電源がＯＮされる場合（Ａ０）に、Ｔ２０２でＳＳＩＤを生成するが、Ｗｉ−ＦｉＩ／Ｆ２０をＯＦＦ状態に維持し、さらに、Ｇ／Ｏ状態に移行しない（即ち図５のＴ４を実行しない）。このために、プリンタＰＲの消費電力を低減させることができる。
【０１０２】
プリンタＰＲは、Ｗｉ−Ｆｉ接続操作がプリンタＰＲに実行される場合（Ａ１）に、Ｔ２０４において、Ｗｉ−ＦｉＩ／Ｆ２０をＯＮ状態に変更し、Ｇ／Ｏ状態に移行する（図７のＳ１０でＹＥＳ、Ｓ１１）。Ｔ２１０は、図５のＴ１０と同様である。携帯端末ＰＴ１に実行される各操作Ａ１〜Ａ４は、図５と同様である。また、Ｔ２２０〜Ｔ２７０は、図５のＴ２０〜Ｔ７０と同様である。Ｔ２７２では、プリンタＰＲは、デバイス状態に移行し、Ｗｉ−ＦｉＩ／Ｆ２０をＯＦＦ状態に変更し、ＳＳＩＤ「Ｘ２」を生成する（図７のＳ３４Ａ）。Ｔ２７２が実行されるので、プリンタＰＲの消費電力を低減させることができる。
【０１０３】
（ケースＤ１；図９）
図９のケースＤ１は、図８のケースＣの続きであり、Ｗｉ−ＦｉＩ／Ｆ２０がＯＦＦ状態であり（図８のＴ２７２参照）、ＢＴＩ／Ｆ２２がＯＮ状態である（Ｔ２４６参照）。また、携帯端末ＰＴ１のＢＴデバイス名格納領域８０には、確立済みプリンタであるプリンタＰＲのＢＴデバイス名「ＮＰ」が格納されている（Ｔ２５０参照）。図６のケースＢ１と異なる点を中心として、ケースＤ１の内容を説明する。
【０１０４】
Ｔ３００のＡｄｖｅｒｔｉｓｅ信号は、送信元を示す情報としてプリンタＰＲのＢＴデバイス名「ＮＰ」を含むが、ＳＳＩＤ「Ｘ２」とパスワード「ＰＳ」とを含まない。携帯端末ＰＴ１に実行される操作Ａ１０は、図６と同様である。Ｔ３０２は、図６のＴ１０２と同様である。
【０１０５】
Ｔ３１０では、携帯端末ＰＴ１は、Ｓｃａｎ＿Ｒｅｑ信号をプリンタＰＲに送信する（図４のＳ１４４）。Ｓｃａｎ＿Ｒｅｑ信号は、送信先を示す情報としてＢＴデバイス名「ＮＰ」を含むと共に、送信元を示す情報としてＢＴデバイス名「Ｎ１」を含む。
【０１０６】
プリンタＰＲは、携帯端末ＰＴ１からＳｃａｎ＿Ｒｅｑ信号を受信する場合に、Ｔ３１２において、Ｗｉ−ＦｉＩ／Ｆ２０をＯＮ状態に変更し、Ｇ／Ｏ状態に移行する（図３のＳ８２でＹＥＳ、Ｓ９０、図７のＳ４０ＡでＹＥＳ、Ｓ４２）。そして、Ｔ３１４では、プリンタＰＲは、Ｓｃａｎ＿Ｒｅｓ信号を携帯端末ＰＴ１に送信する。Ｓｃａｎ＿Ｒｅｓ信号は、送信先を示す情報としてＢＴデバイス名「Ｎ１」を含むと共に、送信元を示す情報としてＢＴデバイス名「ＮＰ」を含む。また、Ｓｃａｎ＿Ｒｅｓ信号は、ＳＳＩＤ「Ｘ２」とパスワード「ＰＳ」とを含む。Ｔ３２０〜Ｔ３４０は、図６のＴ１２０〜Ｔ１４０と同様である。Ｔ３４２では、プリンタＰＲは、デバイス状態に移行し（即ちＧ／Ｏ状態を停止し）、Ｗｉ−ＦｉＩ／Ｆ２０をＯＦＦ状態に変更し、ＳＳＩＤ「Ｘ３」を生成する（図７のＳ５６Ａ）。Ｔ３４２が実行されるので、プリンタＰＲの消費電力を低減させることができる。
【０１０７】
（ケースＤ２）
ケースＤ２もケースＣの続きである。Ｔ３５０のＡｄｖｅｒｔｉｓｅ信号は、ＳＳＩＤ「Ｘ２」とパスワード「ＰＳ」とを含まない。Ａ２０は、図６のケースＢ２と同様であり、Ｔ３５２は、図６のＴ１５２と同様である。携帯端末ＰＴ２は、Ｓｃａｎ＿Ｒｅｑ信号をプリンタＰＲに送信せず（図４のＳ１４２でＮＯ）、この結果、Ｗｉ−Ｆｉ接続要求信号をプリンタＰＲに送信しない。
【０１０８】
（第２実施例の効果）
本実施例でも、プリンタＰＲと携帯端末ＰＴ１とは、ＢＴ通信を実行した後に、Ｗｉ−Ｆｉネットワークを適切に形成することができる（図９のケースＤ１参照）。他にも、第１実施例と同様の効果が得られる。また、本実施例では、プリンタＰＲのＳＳＩＤとパスワードとを含むＷｉ−Ｆｉ設定情報がＡｄｖｅｒｔｉｓｅ信号に含まれない。このために、Ｗｉ−Ｆｉ設定情報が、例えば、プリンタＰＲを利用することがプリンタＰＲの管理者によって許可されていない携帯端末ＰＴ２に送信されるのを抑制することができる。このために、プリンタＰＲのセキュリティを向上させることができる。なお、本実施例では、Ｓｃａｎ＿Ｒｅｑ信号、Ｓｃａｎ＿Ｒｅｓ信号が、それぞれ、「所定の要求信号」、「応答信号」の一例である。また、Ｓｃａｎ＿Ｒｅｓ信号に含まれるＳＳＩＤとパスワードとが、「ネットワーク関係情報」の一例である。
【０１０９】
（第３実施例）
上記の各実施例と異なる点を中心に説明する。携帯端末（例えばＰＴ１）は、上記の各実施例では、ＢＴデバイス名格納領域（例えば８０）を備えるが、本実施例では、ＢＴデバイス名格納領域を備えていない。そして、プリンタＰＲのメモリ３４は、確立済み端末のＢＴデバイス名を格納するためのＢＴデバイス名格納領域４０を備える（図１参照）。また、メモリ３４は、送信フラグ３８を格納しない。
【０１１０】
（プリンタＰＲのＷｉ−ＦｉＩ／Ｆ関連処理；図７）
続いて、図７を参照して、本実施例のＷｉ−ＦｉＩ／Ｆ関連処理の内容を説明する。Ｓ２〜Ｓ２０は、第２実施例と同様である。Ｓ２４では、プリンタＰＲのＣＰＵ３２は、Ｗｉ−Ｆｉ接続を利用して、携帯端末から、Ｗｉ−ＦｉＩ／Ｆ２０を介して、携帯端末のＢＴデバイス名を受信する。そして、ＣＰＵ３２は、受信済みのＢＴデバイス名をＢＴデバイス名格納領域４０に格納させる。これにより、確立済み端末のＢＴデバイス名がＢＴデバイス名格納領域４０に格納される。また、ＣＰＵ３２は、Ｓ２４が終了すると、Ｓ２６及びＳ２８を実行せずに、Ｓ３０に進む。Ｓ３０〜Ｓ３４Ａ、及び、Ｓ４０Ａ〜Ｓ５６Ａは、第２実施例と同様である。
【０１１１】
（プリンタＰＲのＢＴＩ／Ｆ関連処理；図３）
続いて、図３を参照して、本実施例のＢＴＩ／Ｆ関連処理の内容を説明する。Ｓ７０は、第１及び第２実施例と同様である。Ｓ７２では、ＣＰＵ３２は、メモリ３４内のＢＴデバイス名格納領域４０に１個以上のＢＴデバイス名が格納されているのか否かを判断する。ＣＰＵ３２は、１個以上のＢＴデバイス名が格納されている場合には、Ｓ７２でＹＥＳと判断して、Ｓ７４に進み、１個のＢＴデバイス名も格納されていない場合には、Ｓ７２でＮＯと判断し、Ｓ７４をスキップして、Ｓ７０に戻る。
【０１１２】
Ｓ８０及びＳ８２は、第２実施例と同様である。ＣＰＵ３２は、Ｓ８２でＹＥＳと判断する場合に、Ｓ８４において、Ｓｃａｎ＿Ｒｅｑ信号に含まれる送信元のＢＴデバイス名が、メモリ３４内のＢＴデバイス名格納領域４０に格納されているのか否かを判断する。ＣＰＵ３２は、送信元のＢＴデバイス名がＢＴデバイス名格納領域４０に格納されている場合、即ち、Ｓｃａｎ＿Ｒｅｑ信号の送信元の携帯端末が確立済み端末である場合には、Ｓ８４でＹＥＳと判断して、Ｓ９０に進む。一方、ＣＰＵ３２は、送信元のＢＴデバイス名がＢＴデバイス名格納領域４０に格納されていない場合、即ち、Ｓｃａｎ＿Ｒｅｑ信号の送信元の携帯端末とのＷｉ−Ｆｉ接続が過去に確立されていない場合には、Ｓ８４でＮＯと判断し、Ｓ９０及びＳ９２をスキップして、Ｓ７０に戻る。Ｓ９０及びＳ９２は、第２実施例と同様である。
【０１１３】
（携帯端末の処理；図４）
続いて、図４を参照して、本実施例の携帯端末ＰＴ１の処理の内容を説明する。Ｓ１００〜Ｓ１１４は、第１及び第２実施例と同様である。Ｓ１１６では、携帯端末ＰＴ１のＣＰＵ７２は、Ｓ１１４で確立されたＷｉ−Ｆｉ接続を利用して、Ｗｉ−ＦｉＩ／Ｆ６０を介して、携帯端末ＰＴ１のＢＴデバイス名「Ｎ１」をプリンタＰＲに送信する（図７のＳ２４）。Ｓ１１８、Ｓ１２０、及び、Ｓ１４０は、第１及び第２実施例と同様である。携帯端末ＰＴ１のＣＰＵ７２は、Ｓ１４０でＹＥＳの場合に、Ｓ１４２を実行せずに、Ｓ１４４に進む。即ち、ＣＰＵ７２は、Ａｄｖｅｒｔｉｓｅ信号の送信元のプリンタＰＲが確立済みプリンタであるのか否かに関わらず、Ｓ１４４において、Ｓｃａｎ＿Ｒｅｑ信号をプリンタＰＲに送信する。Ｓ１４６〜Ｓ１５４は、第２実施例と同様である。
【０１１４】
（ケースＥ：図１０）
続いて、図１０及び図１１を参照して、本実施例の具体的なケースについて説明する。図１０のケースＥの初期状態は、図５のケースＡの初期状態（即ち図８のケースＣの初期状態）と同様である。図８のケースＣと異なる点を中心として、ケースＥの内容を説明する。
【０１１５】
Ａ０〜Ａ４は、図８と同様であり、Ｔ４０２〜Ｔ４４２は、図８のＴ２０２〜Ｔ２４２と同様である。Ｔ４４４では、携帯端末ＰＴ１は、Ｔ４４２で確立されたＷｉ−Ｆｉ接続を利用して、携帯端末ＰＴ１のＢＴデバイス名「Ｎ１」をプリンタＰＲに送信する（図４のＳ１１６）。
【０１１６】
プリンタＰＲは、携帯端末ＰＴ１からＢＴデバイス名「Ｎ１」を受信する場合に、Ｔ４４５において、ＢＴデバイス名「Ｎ１」をＢＴデバイス名格納領域４０に格納する（図７のＳ２４）。この結果、Ｔ４４６において、プリンタＰＲは、ＢＴＩ／Ｆ２２をＯＦＦ状態からＯＮ状態に変更する（図３のＳ７０でＹＥＳ、Ｓ７２でＹＥＳ、Ｓ７４）。Ｔ４６０〜Ｔ４７２は、図８のＴ２６０〜Ｓ２７２と同様である。
【０１１７】
（ケースＦ１；図１１）
図１１のケースＦ１は、図１０のケースＥの続きであり、Ｗｉ−ＦｉＩ／Ｆ２０がＯＦＦ状態であり（図１０のＴ４７２参照）、ＢＴＩ／Ｆ２２がＯＮ状態である（Ｔ４４６参照）。また、プリンタＰＲのＢＴデバイス名格納領域４０には、確立済み端末である携帯端末ＰＴ１のＢＴデバイス名「Ｎ１」が格納されている（Ｔ４４５参照）。図９のケースＤ１と異なる点を中心として、ケースＦ１の内容を説明する。
【０１１８】
Ａ１０は、図９のケースＤ１と同様であり、Ｔ５００及びＴ５１０は、図９のＴ３００及びＴ３１０と同様である。プリンタＰＲは、携帯端末ＰＴ１からＳｃａｎ＿Ｒｅｑ信号を受信する場合に、Ｔ５１１において、Ｓｃａｎ＿Ｒｅｑ信号内の送信元のＢＴデバイス名「Ｎ１」がＢＴデバイス名格納領域４０に格納されていると判断する（図３のＳ８４でＹＥＳ）。従って、Ｔ５１２では、プリンタＰＲは、Ｗｉ−ＦｉＩ／Ｆ２０をＯＮ状態に変更し、Ｇ／Ｏ状態に移行する（図３のＳ９０、図７のＳ４０ＡでＹＥＳ、Ｓ４２）。Ｔ５１４〜Ｔ５４２は、図９のＴ３１４〜Ｔ３４２と同様である。
【０１１９】
（ケースＦ２）
ケースＦ２もケースＥの続きである。プリンタＰＲのＢＴデバイス名格納領域４０には、携帯端末ＰＴ２のＢＴデバイス名「Ｎ２」が格納されていない。Ｔ５５０は、図９のＴ３５０と同様である、携帯端末ＰＴ２は、Ａ２０の操作が実行され、プリンタＰＲからＡｄｖｅｒｔｉｓｅ信号を受信する場合に、Ｔ５６０において、Ｓｃａｎ＿Ｒｅｑ信号をプリンタＰＲに送信する（図４のＳ１４０でＹＥＳ、Ｓ１４４）。Ｓｃａｎ＿Ｒｅｑ信号は、送信先を示す情報としてＢＴデバイス名「ＮＰ」を含むと共に、送信元を示す情報としてＢＴデバイス名「Ｎ２」を含む。
【０１２０】
プリンタＰＲは、携帯端末ＰＴ２からＳｃａｎ＿Ｒｅｑ信号を受信する場合に、Ｔ５６１において、Ｓｃａｎ＿Ｒｅｑ信号内の送信元のＢＴデバイス名「Ｎ２」がＢＴデバイス名格納領域４０に格納されていないと判断する（図３のＳ８４でＮＯ）。従って、プリンタＰＲは、Ｗｉ−ＦｉＩ／Ｆ２０をＯＮ状態に変更せず、Ｇ／Ｏ状態に移行しない。これにより、プリンタＰＲの消費電力を低減させることができる。また、プリンタＰＲは、Ｓｃａｎ＿Ｒｅｓ信号を携帯端末ＰＴ２に送信しない。この結果、携帯端末ＰＴ２は、Ｗｉ−Ｆｉ接続要求信号をプリンタＰＲに送信しない（図４のＳ１４６でＮＯ）。
【０１２１】
（第３実施例の効果）
本実施例でも、プリンタＰＲと携帯端末ＰＴ１とは、ＢＴ通信を実行した後に、Ｗｉ−Ｆｉネットワークを適切に形成することができる（図１１のケースＦ１参照）。他にも、第１及び第２実施例と同様の効果が得られる。また、本実施例では、プリンタＰＲは、携帯端末からＳｃａｎ＿Ｒｅｑ信号を受信する場合に、Ｗｉ−Ｆｉ設定情報を含むＳｃａｎ＿Ｒｅｓ信号を自動的に携帯端末に送信するのではなく、携帯端末が確立済み端末であることに応じて（図３のＳ８４でＹＥＳ）、Ｗｉ−Ｆｉ設定情報を含むＳｃａｎ＿Ｒｅｓ信号を携帯端末に送信する。このために、Ｗｉ−Ｆｉ設定情報が、例えば、プリンタＰＲを利用することがプリンタＰＲの管理者によって許可されていない携帯端末ＰＴ２に送信されるのをより抑制することができる。このために、プリンタＰＲのセキュリティを向上させることができる。
【０１２２】
また、本実施例では、プリンタＰＲは、ＢＴデバイス名格納領域４０を備えており、携帯端末のＢＴデバイス名がＢＴデバイス名格納領域４０に格納されているのか否かを判断し（図３のＳ８４）、判断結果に応じて、その後の処理を変える。従って、携帯端末ＰＴ１，ＰＴ２は、ＢＴデバイス名格納領域を備えずに済み、さらに、判断処理を実行せずに済む。このために、携帯端末ＰＴ１，ＰＴ２の処理負荷を低減させることができる。なお、本実施例では、携帯端末ＰＴ１，ＰＴ２のＢＴデバイス名「Ｎ１」，「Ｎ２」が、「第２の機器識別情報」の一例である。また、プリンタＰＲから見ると、携帯端末ＰＴ１、ＢＴデバイス名「Ｎ１」が、それぞれ、「第３の通信機器」、「第３の機器識別情報」の一例である。
【０１２３】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【０１２４】
（変形例１）各実施例の図３のＳ８０において、プリンタＰＲは、プリンタＰＲのＢＴデバイス名「ＮＰ」を含まないＡｄｖｅｒｔｉｓｅ信号を外部に送信してもよい。そして、携帯端末ＰＴ１は、図４のＳ１４０において、プリンタＰＲからＡｄｖｅｒｔｉｓｅ信号を受信する場合（Ｓ１４０でＹＥＳ）に、Ｓ１４２〜Ｓ１４６を実行せずに、Ｓ１４８を実行してもよい。即ち、「トリガ信号」は、「第１の機器識別情報」を含まなくてもよい。また、本変形例では、「判断処理」を省略可能である。
【０１２５】
（変形例２）第１及び第２実施例において、プリンタＰＲは、図２及び図７のＳ２４を実行しなくてもよい。この場合、例えば、携帯端末ＰＴ１は、プリンタＰＲとＢＴ通信を実行して、プリンタＰＲからＢＴデバイス名「ＮＰ」を受信してもよい。また、例えば、携帯端末ＰＴ１のユーザは、プリンタＰＲのＢＴデバイス名「ＮＰ」を入力するための操作を携帯端末ＰＴ１に実行して、ＢＴデバイス名「ＮＰ」をＢＴデバイス名格納領域８０に格納させてもよい。本変形例では、「第２の確立部」及び「機器識別情報送信部」を省略可能であり、「第２の確立処理」及び「機器識別情報受信処理」を省略可能である。
【０１２６】
（変形例３）第３実施例では、携帯端末ＰＴ１は、図４のＳ１１６を実行しなくてもよい。この場合、例えば、プリンタＰＲは、携帯端末ＰＴ１とＢＴ通信を実行して、携帯端末ＰＴ１からＢＴデバイス名「Ｎ１」を受信してもよい。また、例えば、携帯端末ＰＴ１のユーザは、携帯端末ＰＴ１のＢＴデバイス名「Ｎ１」を入力するための操作をプリンタＰＲに実行して、ＢＴデバイス名「Ｎ１」をＢＴデバイス名格納領域４０に格納させてもよい。本変形例では、「第２の確立部」及び「機器識別情報受信部」を省略可能である。
【０１２７】
（変形例４）第１実施例において、プリンタＰＲのＢＴＩ／Ｆ２２は、ＣＰＵとメモリとを備えていてもよい。ＢＴＩ／Ｆ２２のメモリは、プログラムと、ＢＴデバイス名「ＮＰ」と、を予め格納していてもよい。ＢＴＩ／Ｆ２２のＣＰＵは、ＢＴＩ／Ｆ２２がＯＮ状態である間に、制御部３０内のＣＰＵ３２から指示を受けなくても、ＢＴＩ／Ｆ２２のメモリ内のプログラムに従ってＢＴデバイス名「ＮＰ」を外部に送信することを繰り返してもよい。この場合、ＢＴＩ／Ｆ２２は、双方向通信を不可能な簡易な構成であってもよい。即ち、ＢＴＩ／Ｆ２２は、Ｓｃａｎ＿Ｒｅｑ信号及びＳｃａｎ＿Ｒｅｓ信号の通信を実行不可能であってもよい。一般的に言うと、「トリガ信号送信部」は、第１実施例のように、「第１の通信機器」の制御部内のＣＰＵが「第２のインターフェース」を制御することによって実現されてもよいし、「第１の通信機器」の制御部内のＣＰＵが「第２のインターフェース」を制御せずに実現されてもよい。より一般的に言うと、「第１の通信機器」は、２個以上のプロセッサ（例えばプリンタＰＲの制御部３０内のＣＰＵ３２とＢＴＩ／Ｆ２２内のＣＰＵ）と、２個以上のメモリ（例えば制御部３０内のメモリ３４とＢＴＩ／Ｆ２２内のメモリ）と、を備えていてもよく、各プロセッサが各メモリに格納されている各プログラムに従って処理を実行してもよい。
【０１２８】
（変形例５）第１実施例の図３のＳ８０において、プリンタＰＲは、パスワードを含まないＡｄｖｅｒｔｉｓｅ信号を送信してもよい。また、第２及び第３実施例の図３のＳ９２において、プリンタＰＲは、パスワードを含まないＳｃａｎ＿Ｒｅｓ信号を送信してもよい。この場合、Ａｄｖｅｒｔｉｓｅ信号又はＳｃａｎ＿Ｒｅｓ信号を受信した携帯端末においてパスワード入力画面が表示されて、パスワードがユーザによって携帯端末に入力される。本変形例では、ＳＳＩＤのみが、「ネットワーク関係情報」の一例である。
【０１２９】
（変形例６）各実施例において、プリンタＰＲの電源がＯＮされている間に、ＢＴＩ／Ｆ２２がＯＮ状態に維持されてもよい。そして、プリンタＰＲは、プリンタＰＲの電源がＯＮされている間に、Ａｄｖｅｒｔｉｓｅ信号を繰り返し送信してもよい。本変形例では、「変更部」を省略可能である。
【０１３０】
（変形例７）各実施例では、プリンタＰＲのパスワードが固定されている情報であるが、プリンタＰＲのＳＳＩＤは、プリンタＰＲと携帯端末との間のＷｉ−Ｆｉ接続が切断される毎に変更される。これに代えて、プリンタＰＲのＳＳＩＤ及びパスワードの双方が固定されている情報であってもよい。そして、第１実施例の図３のＳ８０において、プリンタＰＲは、ＳＳＩＤもパスワードも含まないＡｄｖｅｒｔｉｓｅ信号を送信してもよい。また、第２及び第３実施例の図３のＳ９２において、プリンタＰＲは、ＳＳＩＤもパスワードも含まないＳｃａｎ＿Ｒｅｓ信号を送信してもよい。この場合、携帯端末ＰＴ１は、図４のＳ１１４でプリンタＰＲとのＷｉ−Ｆｉ接続が確立される場合に、プリンタＰＲのＳＳＩＤ及びパスワードの双方を格納する。そして、携帯端末ＰＴ１は、図４のＳ１５０において、格納済みのＳＳＩＤ及びパスワードを利用して、プリンタＰＲとのＷｉ−Ｆｉ接続を確立する。即ち、「第１の通信機器」は、ネットワーク関係情報を外部に送信しなくてもよい。
【０１３１】
（変形例８）第２及び第３実施例の図３のＳ９２において、プリンタＰＲは、ＢＴ方式の論理リンク（即ちＢＴ接続）を携帯端末と確立し、ＢＴ接続を利用して、ＳＳＩＤ及びパスワードを携帯端末に送信してもよい。即ち、「ネットワーク関係情報」は、第２及び第３実施例のように、第２の通信方式に従った無線接続を利用せずに、外部に送信されてもよいし、本変形例のように、第２の通信方式に従った無線接続を利用して、外部に送信されてもよい。
【０１３２】
（変形例９）プリンタＰＲは、ＷＦＤをサポートしていなくてもよく、その代わりに、いわゆるＳｏｆｔＡＰをサポートしていてもよい。この場合、プリンタＰＲは、図２のＳ４、図７のＳ１１又はＳ４２において、ＳｏｆｔＡＰを起動し、図７のＳ３４Ａ及びＳ５６Ａにおいて、ＳｏｆｔＡＰを停止する。
【０１３３】
（変形例１０）「第１（又は第２、第３）の機器識別情報」は、ＢＴデバイス名でなくてもよく、他の識別情報（例えば、ＭＡＣアドレス、ＩＰアドレス等）であってもよい。
【０１３４】
（変形例１１）第１実施例では、プリンタＰＲの電源がＯＮされている間に、Ｗｉ−ＦｉＩ／Ｆ２０がＯＮ状態に維持され、プリンタＰＲの動作状態がＧ／Ｏ状態を維持される（図２のＳ４）。これに代えて、プリンタＰＲは、プリンタＰＲの電源がＯＮされる際に、送信フラグ３８が「ＯＮ」を示すのか否かを判断し、送信フラグ３８が「ＯＮ」を示す場合に、Ｓ４の処理を実行し、送信フラグ３８が「ＯＦＦ」を示す場合に、Ｓ４の処理を実行しなくてもよい。本変形例では、プリンタＰＲの電源がＯＮされている間に、Ｗｉ−ＦｉＩ／Ｆ２０がＯＦＦ状態に設定され得るし、プリンタＰＲの動作状態がデバイス状態に設定され得るので、プリンタＰＲの消費電力を低減させることができる。
【０１３５】
（変形例１２）各実施例では、「第２のインターフェース」の「第１の状態」は、ＢＴＩ／Ｆ２２に電力が供給されていないＯＦＦ状態である。これに代えて、「第１の状態」は、ＢＴＩ／Ｆ２２に少量の電力が供給されている省電力状態であってもよい。この場合、「第１の状態」は、ＢＴＩ／Ｆ２２を介した無線通信を実行可能な状態であってもよいし、ＢＴＩ／Ｆ２２を介した無線通信を実行不可能な状態であってもよい。ただし、前者の場合、例えば、「第１の状態」は、「第２の状態」よりも通信速度が遅い状態であってもよい。そして、図３のＳ７４では、ＢＴＩ／Ｆ２２の状態が、省電力状態から、省電力状態よりも消費電力が高いＯＮ状態に変更されてもよい。同様に、Ｗｉ−ＦｉＩ／Ｆ２０も、ＯＦＦ状態に代えて、少量の電力が供給されている省電力状態に設定されてもよい。
【０１３６】
（変形例１３）「第１のインターフェース」は、Ｗｉ−Ｆｉ通信を実行するためのＩ／Ｆでなくてもよく、無線ＬＡＮを構築可能な他の通信方式に従った無線通信を実行するためのＩ／Ｆであってもよい。また、「第２のインターフェース」は、ＢＴ通信を実行するためのＩ／Ｆでなくてもよく、例えば、近距離無線通信を実行可能な他の通信方式（例えばＴｒａｎｓｆｅｒＪｅｔ（登録商標）方式）に従った無線通信を実行するためのＩ／Ｆであってもよい。
【０１３７】
（変形例１４）「第１の通信機器」は、プリンタＰＲでなくてもよく、例えば、スキャナであってもよい。この場合、スキャナは、例えば、図２及び図７のＳ３０又はＳ５０において、携帯端末ＰＴ１から印刷データを受信する代わりに、原稿のスキャンを実行することによって生成されるスキャンデータを携帯端末ＰＴ１に送信してもよい。また、「第１の通信機器」は、プリンタ及びスキャナとは異なる機器（例えば、コピー機、ファクシミリ、電話機、ＰＣ、サーバ、携帯端末等）であってもよい。また、「第２の通信機器」は、携帯端末でなくてもよく、他の機器（例えば、プリンタ、スキャナ、コピー機、ファクシミリ、電話機、デスクトップ型ＰＣ、サーバ等）であってもよい。
【０１３８】
（変形例１５）各実施例では、プリンタＰＲのＣＰＵ３２及び携帯端末ＰＴ１のＣＰＵ７２がプログラム（即ちソフトウェア）を実行することによって、図２〜図１１の各処理が実現される。これに代えて、図２〜図１１の各処理のうちの少なくとも１つの処理は、論理回路等のハードウェアによって実現されてもよい。
【０１３９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１４０】
２：通信システム、ＰＲ：プリンタ、１２：操作部、１４：表示部、１６：印刷実行部、２０：Ｗｉ−ＦｉＩ／Ｆ（インターフェース）、２２：ＢＴＩ／Ｆ、２６：メモリ、３０：制御部、３２：ＣＰＵ、３４：メモリ、３６：プログラム、３８：送信フラグ、４０：ＢＴデバイス名格納領域、ＰＴ１，ＰＴ２：携帯端末、５２：操作部、５４：表示部、６０：Ｗｉ−ＦｉＩ／Ｆ、６２：ＢＴＩ／Ｆ、７０：制御部、７２：ＣＰＵ、７４：メモリ、７６：ＯＳプログラム、７８：プリンタアプリケーション、８０：ＢＴデバイス名格納領域
【図１】
2019024221.tif 000003
【図２】
2019024221.tif 000004
【図３】
2019024221.tif 000005
【図４】
2019024221.tif 000006
【図５】
2019024221.tif 000007
【図６】
2019024221.tif 000008
【図７】
2019024221.tif 000009
【図８】
2019024221.tif 000010
【図９】
2019024221.tif 000011
【図１０】
2019024221.tif 000012
【図１１】
2019024221.tif 000013
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
プリンタであって、
印刷実行部と、
メモリと、
Ｗｉ−Ｆｉ方式に従った無線通信を実行するためのＷｉ−Ｆｉインターフェースと、
Ｂｌｕｅｔｏｏｔｈ方式に従った無線通信を実行するためのＢｌｕｅｔｏｏｔｈインターフェースと、
前記Ｂｌｕｅｔｏｏｔｈインターフェースを介したＢｌｕｅｔｏｏｔｈ接続を第１の端末装置と確立する前に、前記Ｂｌｕｅｔｏｏｔｈインターフェースを介して、送信先が特定されていない信号を送信することを繰り返す信号送信部と、
前記信号を受信した前記第１の端末装置から、前記Ｂｌｕｅｔｏｏｔｈインターフェースを介して、第１の所定情報を受信する第１の所定情報受信部と、
前記第１の端末装置から受信した前記第１の所定情報と、前記メモリに格納されている第２の所定情報と、が関連する場合に、前記Ｂｌｕｅｔｏｏｔｈインターフェースを介した前記Ｂｌｕｅｔｏｏｔｈ接続を前記第１の端末装置と確立する第１の確立部と、
確立済みの前記Ｂｌｕｅｔｏｏｔｈ接続を利用して、前記Ｂｌｕｅｔｏｏｔｈインターフェースを介して、前記Ｗｉ−Ｆｉインターフェースを介した第１のＷｉ−Ｆｉ接続を前記第１の端末装置と確立するための接続情報を前記第１の端末装置に送信する接続情報送信部であって、前記第１のＷｉ−Ｆｉ接続は、前記プリンタが親局として動作する第１のＷｉ−Ｆｉネットワークに前記第１の端末装置を所属させるための接続である、前記接続情報送信部と、
前記接続情報が前記第１の端末装置に送信された後に、前記第１の端末装置から、前記Ｗｉ−Ｆｉインターフェースを介して、接続要求を受信する要求受信部であって、前記接続要求は、前記接続情報を用いて得られる要求である、前記要求受信部と、
前記端末装置から前記接続要求を受信することに応じて、前記Ｗｉ−Ｆｉインターフェースを介した前記第１のＷｉ−Ｆｉ接続を前記第１の端末装置と確立して、前記プリンタと前記第１の端末装置との双方が所属する前記第１のＷｉ−Ｆｉネットワークを形成する第２の確立部と、
前記第１のＷｉ−Ｆｉネットワークを利用して、前記Ｗｉ−Ｆｉインターフェースを介して、前記第１の端末装置から画像データを受信するデータ受信部と、
受信済みの前記画像データによって表わされる画像の印刷を前記印刷実行部に実行させる印刷制御部と、
を備える、プリンタ。
【請求項２】
前記接続情報は、前記第１のＷｉ−Ｆｉネットワークを識別するためのネットワーク識別情報を含む、請求項１に記載のプリンタ。
【請求項３】
前記ネットワーク識別情報は、ＳＳＩＤ（Service Set Identifierの略）である、請求項２に記載のプリンタ。
【請求項４】
前記プリンタは、さらに、
前記第１の端末装置から受信した前記第１の所定情報と、前記メモリに格納されている前記第２の所定情報と、が関連する場合に、前記プリンタの動作状態を前記第１のＷｉ−Ｆｉネットワークの親局として動作してない状態から前記第１のＷｉ−Ｆｉネットワークの親局として動作する状態に移行する移行部を備える、請求項１から３のいずれか一項に記載のプリンタ。
【請求項５】
前記プリンタは、さらに、
前記第１の端末装置から前記画像データが受信された後に、前記Ｗｉ−Ｆｉインターフェースを介して、前記第１の端末装置から切断信号を受信する信号受信部であって、前記切断信号は、前記第１のＷｉ−Ｆｉ接続を切断するための信号である、前記信号受信部を備える、請求項１から４のいずれか一項に記載のプリンタ。
【請求項６】
前記第１の所定情報は、前記第１の端末装置を識別するための装置識別情報である、請求項１から５のいずれか一項に記載のプリンタ。
【請求項７】
前記Ｗｉ−Ｆｉ方式は、ＩＥＥＥ（The Institute of Electrical and Electronics Engineers, Inc.の略）の８０２．１１の規格、及び、それに準ずる規格に基づく無線通信方式であり、
前記Ｂｌｕｅｔｏｏｔｈ方式は、ＩＥＥＥ８０２．１５．１の規格、及び、それに準ずる規格に基づく無線通信方式である、請求項１から６のいずれか一項に記載のプリンタ。
【請求項８】
前記プリンタは、さらに、
前記Ｗｉ−Ｆｉインターフェースを介した前記第１のＷｉ−Ｆｉ接続を前記第１の端末装置と確立する前に、前記Ｗｉ−Ｆｉインターフェースを介した第２のＷｉ−Ｆｉ接続を第２の端末装置と確立して、前記プリンタと前記第２の端末装置との双方が所属する第２のＷｉ−Ｆｉネットワークを形成する第３の確立部と、
前記第２のＷｉ−Ｆｉネットワークを利用して、前記第２の端末装置から、前記Ｗｉ−Ｆｉインターフェースを介して、前記第２の所定情報を受信する第２の所定情報受信部と、
前記第２の端末装置から前記第２の所定情報を受信することに応じて、前記第２の所定情報を前記メモリに格納させる格納制御部と、を備える、請求項１から７のいずれか一項に記載のプリンタ。
【請求項９】
前記プリンタは、さらに、
前記第２の所定情報が前記メモリに格納された後に、前記Ｂｌｕｅｔｏｏｔｈインターフェースの状態を、第１の状態から、前記第１の状態よりも消費電力が高い第２の状態に変更する変更部を備える、請求項８に記載のプリンタ。
【請求項１０】
プリンタのためのコンピュータプログラムであって、
印刷実行部と、
メモリと、
Ｗｉ−Ｆｉ方式に従った無線通信を実行するためのＷｉ−Ｆｉインターフェースと、
Ｂｌｕｅｔｏｏｔｈ方式に従った無線通信を実行するためのＢｌｕｅｔｏｏｔｈインターフェースと、を備え
前記コンピュータプログラムは、前記プロセッサに、以下の各処理、即ち、
前記Ｂｌｕｅｔｏｏｔｈインターフェースを介したＢｌｕｅｔｏｏｔｈ接続を端末装置と確立する前に、前記Ｂｌｕｅｔｏｏｔｈインターフェースを介して、送信先が特定されていない信号を送信することを繰り返す信号送信処理と、
前記信号を受信した前記端末装置から、前記Ｂｌｕｅｔｏｏｔｈインターフェースを介して、第１の所定情報を受信する第１の所定情報受信処理と、
前記端末装置から受信した前記第１の所定情報と、前記メモリに格納されている第２の所定情報と、が関連する場合に、前記Ｂｌｕｅｔｏｏｔｈインターフェースを介した前記Ｂｌｕｅｔｏｏｔｈ接続を前記端末装置と確立する第１の確立処理と、
確立済みのＢｌｕｅｔｏｏｔｈ接続を利用して、前記Ｂｌｕｅｔｏｏｔｈインターフェースを介して、前記Ｗｉ−Ｆｉインターフェースを介した第１のＷｉ−Ｆｉ接続を前記端末装置と確立するための接続情報を前記端末装置に送信する接続情報送信処理であって、前記第１のＷｉ−Ｆｉ接続は、前記プリンタが親局として動作する第１のＷｉ−Ｆｉネットワークに前記第１の端末装置を所属させるための接続である、前記接続情報送信部と、
前記接続情報が前記端末装置に送信された後に、前記端末装置から、前記Ｗｉ−Ｆｉインターフェースを介して、接続要求を受信する要求受信部であって、前記接続要求は、前記接続情報を用いて得られる要求である、前記要求受信処理と、
前記端末装置から前記接続要求を受信することに応じて、前記Ｗｉ−Ｆｉインターフェースを介した前記第１のＷｉ−Ｆｉ接続を前記端末装置と確立して、前記プリンタと前記端末装置との双方が所属する前記第１のＷｉ−Ｆｉネットワークを形成する第２の確立処理と、
前記第１のＷｉ−Ｆｉネットワークを利用して、前記Ｗｉ−Ｆｉインターフェースを介して、前記端末装置から画像データを受信するデータ受信処理と、
受信済みの前記画像データによって表わされる画像の印刷を前記印刷実行部に実行させる印刷制御処理と、
を実行させる、コンピュータプログラム。
【請求項１１】
端末装置のためのコンピュータプログラムであって、
前記端末装置は、
Ｗｉ−Ｆｉ方式に従った無線通信を実行するためのＷｉ−Ｆｉインターフェースと、
Ｂｌｕｅｔｏｏｔｈ方式に従った無線通信を実行するためのＢｌｕｅｔｏｏｔｈインターフェースと、
プロセッサと、を備え、
前記コンピュータプログラムは、前記プロセッサに、以下の各処理、即ち、
前記Ｂｌｕｅｔｏｏｔｈインターフェースを介したＢｌｕｅｔｏｏｔｈ接続をプリンタと確立する前に、送信先が特定されていない信号がプリンタから繰り返し送信される状況において、前記プリンタから、前記Ｂｌｕｅｔｏｏｔｈインターフェースを介して、前記信号を受信することに応じて、第１の所定情報を前記プリンタに送信する情報送信処理と、
前記プリンタに送信された前記第１の所定情報と、前記プリンタに格納されている第２の所定情報と、が関連する場合に、前記Ｂｌｕｅｔｏｏｔｈインターフェースを介した前記Ｂｌｕｅｔｏｏｔｈ接続を前記プリンタと確立する第１の確立処理と、
確立済みの前記Ｂｌｕｅｔｏｏｔｈ接続を利用して、前記Ｂｌｕｅｔｏｏｔｈインターフェースを介して、前記プリンタから、前記Ｗｉ−Ｆｉインターフェースを介した第１のＷｉ−Ｆｉ接続を前記プリンタと確立ための接続情報を受信する接続情報受信処理であって、前記第１のＷｉ−Ｆｉ接続は、前記プリンタが親局として動作する第１のＷｉ−Ｆｉネットワークに前記第１の端末装置を所属させるための接続である、前記接続情報受信処理と、
前記プリンタから前記接続情報を受信することに応じて、前記Ｗｉ−Ｆｉインターフェースを介して、接続要求を前記プリンタに送信する要求送信処理であって、前記接続要求は、前記接続情報を用いて得られる要求である、前記要求送信処理と、
前記接続要求を前記プリンタに送信することに応じて、前記Ｗｉ−Ｆｉインターフェースを介した前記第１のＷｉ−Ｆｉ接続を前記プリンタと確立して、前記プリンタと前記端末装置との双方が所属する前記第１のＷｉ−Ｆｉネットワークを形成する第２の確立処理と、
前記第１のＷｉ−Ｆｉネットワークを利用して、前記Ｗｉ−Ｆｉインターフェースを介して、画像データを前記プリンタに送信するデータ送信処理であって、前記画像データは、前記プリンタによって印刷される画像を表すデータである、前記データ送信処理と、
を実行させる、コンピュータプログラム。
【請求項１２】
前記信号は、前記コンピュータプログラムを起動するための操作が前記端末装置に実行されて、前記コンピュータプログラムが起動した後に、前記プリンタから受信される、請求項１１に記載のコンピュータプログラム。
【請求項１３】
前記接続情報は、前記第１のＷｉ−Ｆｉネットワークを識別するためのネットワーク識別情報を含む、請求項１１又は１２に記載のコンピュータプログラム。
【請求項１４】
前記ネットワーク識別情報は、ＳＳＩＤ（Service Set Identifierの略）である、請求項１３に記載のコンピュータプログラム。
【請求項１５】
前記コンピュータプログラムは、前記プロセッサに、さらに、
前記画像データを前記プリンタに送信した後に、、前記Ｗｉ−Ｆｉインターフェースを介して、切断信号を前記プリンタに送信する信号送信処理であって、前記切断信号は、前記第１のＷｉ−Ｆｉ接続を切断するための信号である、前記信号送信処理を実行させる、請求項１１から１４のいずれか一項に記載のコンピュータプログラム。
【請求項１６】
前記第１の所定情報は、前記端末装置を識別するための装置識別情報である、請求項１１から１５のいずれか一項に記載のコンピュータプログラム。
【請求項１７】
前記Ｗｉ−Ｆｉ方式は、ＩＥＥＥ（The Institute of Electrical and Electronics Engineers, Inc.の略）の８０２．１１の規格、及び、それに準ずる規格に基づく無線通信方式であり、
前記Ｂｌｕｅｔｏｏｔｈ方式は、ＩＥＥＥ８０２．１５．１の規格、及び、それに準ずる規格に基づく無線通信方式である、請求項１１から１６のいずれか一項に記載のコンピュータプログラム。
【手続補正２】
【補正対象書類名】明細書
【補正対象項目名】０００５
【補正方法】変更
【補正の内容】
【０００５】
本明細書によって開示されるプリンタは、印刷実行部と、メモリと、Ｗｉ−Ｆｉ方式に従った無線通信を実行するためのＷｉ−Ｆｉインターフェースと、Ｂｌｕｅｔｏｏｔｈ方式に従った無線通信を実行するためのＢｌｕｅｔｏｏｔｈインターフェースと、前記Ｂｌｕｅｔｏｏｔｈインターフェースを介したＢｌｕｅｔｏｏｔｈ接続を第１の端末装置と確立する前に、前記Ｂｌｕｅｔｏｏｔｈインターフェースを介して、送信先が特定されていない信号を送信することを繰り返す信号送信部と、前記信号を受信した前記第１の端末装置から、前記Ｂｌｕｅｔｏｏｔｈインターフェースを介して、第１の所定情報を受信する第１の所定情報受信部と、前記第１の端末装置から受信した前記第１の所定情報と、前記メモリに格納されている第２の所定情報と、が関連する場合に、前記Ｂｌｕｅｔｏｏｔｈインターフェースを介した前記Ｂｌｕｅｔｏｏｔｈ接続を前記第１の端末装置と確立する第１の確立部と、確立済みの前記Ｂｌｕｅｔｏｏｔｈ接続を利用して、前記Ｂｌｕｅｔｏｏｔｈインターフェースを介して、前記Ｗｉ−Ｆｉインターフェースを介した第１のＷｉ−Ｆｉ接続を前記第１の端末装置と確立するための接続情報を前記第１の端末装置に送信する接続情報送信部であって、前記第１のＷｉ−Ｆｉ接続は、前記プリンタが親局として動作する第１のＷｉ−Ｆｉネットワークに前記第１の端末装置を所属させるための接続である、前記接続情報送信部と、前記接続情報が前記第１の端末装置に送信された後に、前記第１の端末装置から、前記Ｗｉ−Ｆｉインターフェースを介して、接続要求を受信する要求受信部であって、前記接続要求は、前記接続情報を用いて得られる要求である、前記要求受信部と、前記端末装置から前記接続要求を受信することに応じて、前記Ｗｉ−Ｆｉインターフェースを介した前記第１のＷｉ−Ｆｉ接続を前記第１の端末装置と確立して、前記プリンタと前記第１の端末装置との双方が所属する前記第１のＷｉ−Ｆｉネットワークを形成する第２の確立部と、前記第１のＷｉ−Ｆｉネットワークを利用して、前記Ｗｉ−Ｆｉインターフェースを介して、前記第１の端末装置から画像データを受信するデータ受信部と、受信済みの前記画像データによって表わされる画像の印刷を前記印刷実行部に実行させる印刷制御部と、を備える。
また、本明細書によって開示される端末装置のためのコンピュータプログラムを開示する。端末装置は、Ｗｉ−Ｆｉ方式に従った無線通信を実行するためのＷｉ−Ｆｉインターフェースと、Ｂｌｕｅｔｏｏｔｈ方式に従った無線通信を実行するためのＢｌｕｅｔｏｏｔｈインターフェースと、プロセッサと、を備える。そして、前記コンピュータプログラムは、前記プロセッサに、以下の各処理、即ち、前記Ｂｌｕｅｔｏｏｔｈインターフェースを介したＢｌｕｅｔｏｏｔｈ接続をプリンタと確立する前に、送信先が特定されていない信号がプリンタから繰り返し送信される状況において、前記プリンタから、前記Ｂｌｕｅｔｏｏｔｈインターフェースを介して、前記信号を受信することに応じて、第１の所定情報を前記プリンタに送信する情報送信処理と、前記プリンタに送信された前記第１の所定情報と、前記プリンタに格納されている第２の所定情報と、が関連する場合に、前記Ｂｌｕｅｔｏｏｔｈインターフェースを介した前記Ｂｌｕｅｔｏｏｔｈ接続を前記プリンタと確立する第１の確立処理と、確立済みの前記Ｂｌｕｅｔｏｏｔｈ接続を利用して、前記Ｂｌｕｅｔｏｏｔｈインターフェースを介して、前記プリンタから、前記Ｗｉ−Ｆｉインターフェースを介した第１のＷｉ−Ｆｉ接続を前記プリンタと確立ための接続情報を受信する接続情報受信処理であって、前記第１のＷｉ−Ｆｉ接続は、前記プリンタが親局として動作する第１のＷｉ−Ｆｉネットワークに前記第１の端末装置を所属させるための接続である、前記接続情報受信処理と、前記プリンタから前記接続情報を受信することに応じて、前記Ｗｉ−Ｆｉインターフェースを介して、接続要求を前記プリンタに送信する要求送信処理であって、前記接続要求は、前記接続情報を用いて得られる要求である、前記要求送信処理と、前記接続要求を前記プリンタに送信することに応じて、前記Ｗｉ−Ｆｉインターフェースを介した前記第１のＷｉ−Ｆｉ接続を前記プリンタと確立して、前記プリンタと前記端末装置との双方が所属する前記第１のＷｉ−Ｆｉネットワークを形成する第２の確立処理と、前記第１のＷｉ−Ｆｉネットワークを利用して、前記Ｗｉ−Ｆｉインターフェースを介して、画像データを前記プリンタに送信するデータ送信処理であって、前記画像データは、前記プリンタによって印刷される画像を表すデータである、前記データ送信処理と、を実行させる。
また、本明細書によって開示される第１の通信機器は、第１の通信方式に従った無線通信を実行するための第１のインターフェースと、前記第１の通信方式とは異なる第２の通信方式に従った無線通信を実行するための第２のインターフェースと、前記第２のインターフェースを介して、トリガ信号をブロードキャスト送信することを繰り返すトリガ信号送信部であって、前記トリガ信号は、前記第１の通信機器と第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号送信部と、前記トリガ信号を受信した前記第２の通信機器から、前記第１のインターフェースを介して、前記無線接続要求を受信する接続要求受信部と、前記第２の通信機器から前記無線接続要求を受信することに応じて、前記第１のインターフェースを介した第１の無線接続を前記第２の通信機器と確立して、前記第１の通信機器と前記第２の通信機器との双方が所属する前記第１の無線ネットワークを形成する第１の確立部と、を備える。
【手続補正３】
【補正対象書類名】明細書
【補正対象項目名】０１３９
【補正方法】変更
【補正の内容】
【０１３９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
以下に、本明細書に記載の技術の特徴を列挙する。
（項目１）
第１の通信機器であって、
第１の通信方式に従った無線通信を実行するための第１のインターフェースと、
前記第１の通信方式とは異なる第２の通信方式に従った無線通信を実行するための第２のインターフェースと、
前記第２のインターフェースを介して、トリガ信号をブロードキャスト送信することを繰り返すトリガ信号送信部であって、前記トリガ信号は、前記第１の通信機器と第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号送信部と、
前記トリガ信号を受信した前記第２の通信機器から、前記第１のインターフェースを介して、前記無線接続要求を受信する接続要求受信部と、
前記第２の通信機器から前記無線接続要求を受信することに応じて、前記第１のインターフェースを介した第１の無線接続を前記第２の通信機器と確立して、前記第１の通信機器と前記第２の通信機器との双方が所属する前記第１の無線ネットワークを形成する第１の確立部と、
を備える、第１の通信機器。
（項目２）
前記トリガ信号送信部は、前記第２のインターフェースを介して、前記第１の通信機器のメモリに格納されている第１の機器識別情報であって、前記第１の通信機器を識別するための前記第１の機器識別情報を含む前記トリガ信号をブロードキャスト送信することを繰り返し、
前記接続要求受信部は、
前記トリガ信号に含まれる前記第１の機器識別情報が前記第２の通信機器に格納されている場合に、前記第２の通信機器から前記無線接続要求を受信し、
前記トリガ信号に含まれる前記第１の機器識別情報が前記第２の通信機器に格納されていない場合に、前記第２の通信機器から前記無線接続要求を受信しない、項目１に記載の第１の通信機器。
（項目３）
前記第１の通信機器は、さらに、
前記第１のインターフェースを介した前記第１の無線接続を前記第２の通信機器と確立する前に、前記第１のインターフェースを介した第２の無線接続を第３の通信機器と確立して、前記第１の通信機器と前記第３の通信機器との双方が所属する第２の無線ネットワークを形成する第２の確立部と、
前記第２の無線ネットワークを利用して、前記第１のインターフェースを介して、前記メモリ内の前記第１の機器識別情報を前記第３の通信機器に送信する機器識別情報送信部と、を備え、
前記接続要求受信部は、前記第２の通信機器と前記第３の通信機器とが一致することに起因して、前記トリガ信号に含まれる前記第１の機器識別情報が前記第２の通信機器に格納されている場合に、前記第２の通信機器から前記無線接続要求を受信する、項目２に記載の第１の通信機器。
（項目４）
前記第１の通信機器は、さらに、
前記第１の機器識別情報が前記第３の通信機器に送信された後に、前記第２のインターフェースの状態を、第１の状態から、前記第１の状態よりも消費電力が高い第２の状態に変更する変更部を備える、項目３に記載の第１の通信機器。
（項目５）
前記トリガ信号は、前記第１の無線ネットワークに関係するネットワーク関係情報を含み、
前記第１の確立部は、前記ネットワーク関係情報を利用して、前記第１のインターフェースを介した前記第１の無線接続を前記第２の通信機器と確立する、項目１から項目４のいずれか一項に記載の第１の通信機器。
（項目６）
前記第１の通信機器は、さらに、
前記トリガ信号を受信した前記第２の通信機器から、前記第２のインターフェースを介して、所定の要求信号を受信する要求信号受信部と、
前記第２の通信機器から前記所定の要求信号を受信することに応じて、前記第２のインターフェースを介して、前記所定の要求信号に対する応答信号を前記第２の通信機器に送信する応答信号送信部であって、前記応答信号は、前記第１の無線ネットワークに関係するネットワーク関係情報を含む、前記応答信号送信部を備え、
前記接続要求受信部は、前記応答信号を受信した前記第２の通信機器から、前記第１のインターフェースを介して、前記無線接続要求を受信し、
前記第１の確立部は、前記ネットワーク関係情報を利用して、前記第１のインターフェースを介した前記第１の無線接続を前記第２の通信機器と確立する、項目１から項目４のいずれか一項に記載の第１の通信機器。
（項目７）
前記第１の通信機器は、さらに、
前記トリガ信号を受信した前記第２の通信機器から、前記第２のインターフェースを介して、前記第２の通信機器を識別するための第２の機器識別情報を含む所定の要求信号を受信する要求信号受信部と、
前記所定の要求信号に含まれる前記第２の機器識別情報が前記第１の通信機器のメモリに格納されているのか否かを判断する判断部と、
前記第２の機器識別情報が前記メモリに格納されていると判断される場合に、前記第２のインターフェースを介して、前記所定の要求信号に対する応答信号を前記第２の通信機器に送信し、前記第２の機器識別情報が前記メモリに格納されていないと判断される場合に、前記応答信号を前記第２の通信機器に送信しない応答信号送信部であって、前記応答信号は、前記第１の無線ネットワークに関係するネットワーク関係情報を含む、前記応答信号送信部と、を備え、
前記接続要求受信部は、前記応答信号を受信した前記第２の通信機器から、前記第１のインターフェースを介して、前記無線接続要求を受信し、
前記第１の確立部は、前記ネットワーク関係情報を利用して、前記第１のインターフェースを介した前記第１の無線接続を前記第２の通信機器と確立する、項目１に記載の第１の通信機器。
（項目８）
前記第１の通信機器は、さらに、
前記第１のインターフェースを介した前記第１の無線接続を前記第２の通信機器と確立する前に、前記第１のインターフェースを介した第２の無線接続を第３の通信機器と確立して、前記第１の通信機器と前記第３の通信機器との双方が所属する第２の無線ネットワークを形成する第２の確立部と、
前記第２の無線ネットワークを利用して、前記第３の通信機器から、前記第１のインターフェースを介して、前記第３の通信機器を識別するための第３の機器識別情報を受信する機器識別情報受信部と、
前記第３の通信機器から前記第３の機器識別情報を受信することに応じて、前記第３の機器識別情報を前記メモリに格納させる格納制御部と、を備え、
前記判断部は、
前記第２の通信機器と前記第３の通信機器とが一致する場合に、前記第３の機器識別情報に一致する前記第２の機器識別情報が前記メモリに格納されていると判断し、
前記第２の通信機器と前記第３の通信機器とが一致しない場合に、前記第２の機器識別情報が前記メモリに格納されていないと判断する、項目７に記載の第１の通信機器。
（項目９）
前記第１の通信機器は、さらに、
前記第３の機器識別情報が前記メモリに格納された後に、前記第２のインターフェースの状態を、第１の状態から、前記第１の状態よりも消費電力が高い第２の状態に変更する変更部を備える、項目８に記載の第１の通信機器。
（項目１０）
前記トリガ信号送信部は、前記第２の通信方式の論理リンクを確立するための最上位層の通信を実行せずに、前記最上位層よりも下位である下位層の通信を実行して、前記第２のインターフェースを介して、前記トリガ信号をブロードキャスト送信することを繰り返す、項目１から項目９のいずれか一項に記載の第１の通信機器。
（項目１１）
第２の通信機器のためのコンピュータプログラムであって、
前記第２の通信機器は、
第１の通信方式に従った無線通信を実行するための第１のインターフェースと、
前記第１の通信方式とは異なる第２の通信方式に従った無線通信を実行するための第２のインターフェースと、
プロセッサと、を備え、
前記コンピュータプログラムは、前記プロセッサに、以下の各処理、即ち、
トリガ信号が第１の通信機器から繰り返しブロードキャスト送信される場合に、前記第１の通信機器から、前記第２のインターフェースを介して、前記トリガ信号を受信するトリガ信号受信処理であって、前記トリガ信号は、前記第１の通信機器と前記第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号受信処理と、
前記第１の通信機器から前記トリガ信号を受信することに応じて、前記第１のインターフェースを介して、前記無線接続要求を前記第１の通信機器に送信する接続要求送信処理と、
前記無線接続要求を前記第１の通信機器に送信することに応じて、前記第１のインターフェースを介した第１の無線接続を前記第１の通信機器と確立して、前記第１の通信機器と前記第２の通信機器との双方が所属する前記第１の無線ネットワークを形成する第１の確立処理と、
を実行させる、コンピュータプログラム。
（項目１２）
前記トリガ信号は、前記第１の通信機器を識別するための第１の機器識別情報を含み、
前記コンピュータプログラムは、前記プロセッサに、さらに、以下の各処理、即ち、
前記トリガ信号に含まれる前記第１の機器識別情報が前記第２の通信機器のメモリに格納されているのか否かを判断する判断処理を実行させ、
前記接続要求送信処理では、
前記第１の機器識別情報が前記メモリに格納されていると判断される場合に、前記第１のインターフェースを介して、前記無線接続要求を前記第１の通信機器に送信し、
前記第１の機器識別情報が前記メモリに格納されていないと判断される場合に、前記第１のインターフェースを介して、前記無線接続要求を前記第１の通信機器に送信しない、項目１１に記載のコンピュータプログラム。
（項目１３）
前記コンピュータプログラムは、前記プロセッサに、さらに、以下の各処理、即ち、
前記第１の機器識別情報が前記メモリに格納されていると判断される場合に、前記第２のインターフェースを介して、所定の要求信号を前記第１の通信機器に送信し、前記第１の機器識別情報が前記メモリに格納されていないと判断される場合に、前記所定の要求信号を前記第１の通信機器に送信しない要求信号送信処理と、
前記第１の通信機器から、前記第２のインターフェースを介して、前記所定の要求信号に対する応答信号を受信する応答信号受信処理であって、前記応答信号は、前記第１の無線ネットワークに関係するネットワーク関係情報を含む、前記応答信号受信処理と、を実行させ、
前記接続要求送信処理では、前記第１の機器識別情報が前記メモリに格納されていると判断される場合に、前記所定の要求信号を前記第１の通信機器に送信して前記第１の通信機器から前記応答信号が受信することに応じて、前記第１のインターフェースを介して、前記無線接続要求を前記第１の通信機器に送信し、
前記第１の確立処理では、前記ネットワーク関係情報を利用して、前記第１のインターフェースを介した前記第１の無線接続を前記第１の通信機器と確立する、項目１２に記載のコンピュータプログラム。
（項目１４）
前記コンピュータプログラムは、前記プロセッサに、さらに、以下の各処理、即ち、
前記第１のインターフェースを介した前記第１の無線接続を前記第１の通信機器と確立する前に、前記第１のインターフェースを介した第２の無線接続を第３の通信機器と確立して、前記第２の通信機器と前記第３の通信機器との双方が所属する第２の無線ネットワークを形成する第２の確立処理と、
前記第２の無線ネットワークを利用して、前記第３の通信機器から、前記第１のインターフェースを介して、前記第３の通信機器を識別するための第３の機器識別情報を受信する機器識別情報受信処理と、を実行させ、
前記判断処理では、
前記第１の通信機器と前記第３の通信機器とが一致する場合に、前記第３の機器識別情報に一致する前記第１の機器識別情報が前記メモリに格納されていると判断し、
前記第１の通信機器と前記第３の通信機器とが一致しない場合に、前記第１の機器識別情報が前記メモリに格納されていないと判断する、項目１２又は項目１３に記載のコンピュータプログラム。
（項目１５）
前記トリガ信号は、前記第１の無線ネットワークに関係するネットワーク関係情報を含み、
前記第１の確立処理では、前記ネットワーク関係情報を利用して、前記第１のインターフェースを介した前記第１の無線接続を前記第１の通信機器と確立する、項目１１又は項目１２に記載のコンピュータプログラム。
（項目１６）
前記コンピュータプログラムは、前記プロセッサに、さらに、以下の各処理、即ち、
前記トリガ信号を受信することに応じて、前記第２のインターフェースを介して、所定の要求信号を前記第１の通信機器に送信する要求信号送信処理と、
前記第１の通信機器から、前記第２のインターフェースを介して、前記所定の要求信号に対する応答信号を受信する応答信号受信処理であって、前記応答信号は、前記第１の無線ネットワークに関係するネットワーク関係情報を含む、前記応答信号受信処理と、を実行させ、
前記接続要求送信処理では、前記応答信号を受信することに応じて、前記第１のインターフェースを介して、前記無線接続要求を前記第１の通信機器に送信し、
前記第１の確立処理では、前記ネットワーク関係情報を利用して、前記第１のインターフェースを介した前記第１の無線接続を前記第１の通信機器と確立する、項目１１又は項目１２に記載のコンピュータプログラム。
（項目１７）
第２の通信機器であって、
第１の通信方式に従った無線通信を実行するための第１のインターフェースと、
前記第１の通信方式とは異なる第２の通信方式に従った無線通信を実行するための第２のインターフェースと、
トリガ信号が第１の通信機器から繰り返しブロードキャスト送信される場合に、前記第１の通信機器から、前記第２のインターフェースを介して、前記トリガ信号を受信するトリガ信号受信部であって、前記トリガ信号は、前記第１の通信機器と前記第２の通信機器との双方が所属する第１の無線ネットワークを形成するための無線接続要求を前記第１の通信機器に送信するためのトリガとして、前記第２の通信機器によって利用されるべき信号であり、前記第１の無線ネットワークは、前記第１のインターフェースを介した無線通信を実行するためのネットワークである、前記トリガ信号受信部と、
前記第１の通信機器から前記トリガ信号を受信することに応じて、前記第１のインターフェースを介して、前記無線接続要求を前記第１の通信機器に送信する接続要求送信部と、
前記無線接続要求を前記第１の通信機器に送信することに応じて、前記第１のインターフェースを介した第１の無線接続を前記第１の通信機器と確立して、前記第１の通信機器と前記第２の通信機器との双方が所属する前記第１の無線ネットワークを形成する第１の確立部と、
を備える第２の通信機器。